(57)【要約】【課題】発電装置が発電した電力を有効に利用する。【解決手段】電源システムは、電力を発電する発電装置と、発電装置から負荷に電力を供給する電力供給線に接続され、電力を充放電する蓄電装置と、商用電力系統から供給される交流電力を直流電力に変換した第１の出力電圧を電力供給線に出力する直流電源装置と、少なくとも第１の出力電圧を制御する給電管理装置とを備える。そして、給電管理装置は、発電装置が発電する発電量のうちの負荷で消費する消費分に対する余剰発電量に応じて定められた電圧であって、発電装置が電力供給線に出力する第２の出力電圧より低い電圧に、第１の出力電圧を制御する電圧制御部を備える。【選択図】図１
2015043679.tif 000002
【特許請求の範囲】
【請求項１】
電力を発電する発電装置と、
前記発電装置から負荷に電力を供給する電力供給線に接続され、電力を充放電する蓄電装置と、
商用電力系統から供給される交流電力を直流電力に変換した第１の出力電圧を前記電力供給線に出力する直流電源装置と、
少なくとも前記第１の出力電圧を制御する給電管理装置と
を備え、
前記給電管理装置は、
前記発電装置が発電する発電量のうちの前記負荷で消費する消費分に対する余剰発電量に応じて定められた電圧であって、前記発電装置が前記電力供給線に出力する第２の出力電圧より低い電圧に、前記第１の出力電圧を制御する電圧制御部を備える
ことを特徴とする電源システム。
【請求項２】
前記電圧制御部は、
前記蓄電装置の放電深度が充電で受け入れる前記余剰発電量と等しくなる状態に対応する電圧に、前記第１の出力電圧を制御する
ことを特徴とする請求項１に記載の電源システム。
【請求項３】
前記発電装置は、１日のうちの第１の期間に発電し、
前記電圧制御部は、
少なくとも前記第１の期間の一部期間を含む第２の期間に対して、前記第１の出力電圧を、前記第２の出力電圧より低い電圧に制御する
ことを特徴とする請求項１又は請求項２に記載の電源システム。
【請求項４】
前記電圧制御部は、
前記第２の期間における前記蓄電装置の放電量と、前記第２の期間における前記余剰発電量とが等しくなるように、前記第２の期間及び前記第１の出力電圧を制御する
ことを特徴とする請求項３に記載の電源システム。
【請求項５】
前記電圧制御部は、
前記第１の期間の前に、推定される前記余剰発電量と等しい放電量を前記蓄電装置に放電させるように、前記蓄電装置の放電を開始させる前記第２の期間の開始時刻を制御するとともに、前記第１の期間において前記余剰発電量が前記蓄電装置に充電され、前記放電量が前記蓄電装置に充電されるように、前記第２の期間の終了時刻を制御する
ことを特徴とする請求項４に記載の電源システム。
【請求項６】
前記電圧制御部は、
前記第２の期間の開始時刻において、前記蓄電装置が前記余剰発電量と等しい放電量を放電した場合の放電深度である第１の放電深度に対応する第１電圧値よりも低い第２電圧値に、前記第１の出力電圧を制御し、前記蓄電装置が前記第２の期間の終了時刻より前に前記第１の放電深度に達した場合に、前記第１の出力電圧を前記第１電圧値に変更する
ことを特徴とする請求項５に記載の電源システム。
【請求項７】
前記電圧制御部は、
前記第２の期間、前記蓄電装置が前記余剰発電量と等しい放電量を放電した場合の放電深度である第１の放電深度に対応する第１電圧値に、前記第１の出力電圧を制御する
ことを特徴とする請求項５に記載の電源システム。
【請求項８】
前記電圧制御部は、
前記蓄電装置の放電特性に応じて前記第１電圧値を補正し、補正した前記第１電圧値に前記第１の出力電圧を制御する
ことを特徴とする請求項６又は請求項７に記載の電源システム。
【請求項９】
前記電圧制御部は、
前記蓄電装置が前記余剰発電量と等しい放電量を放電した場合の放電深度である第１の放電深度に対応する第１電圧値以下の電圧値であって、前記蓄電装置が過放電となる放電深度に対応する電圧よりも高い第３電圧値に前記第１の出力電圧を制御する
ことを特徴とする請求項５に記載の電源システム。
【請求項１０】
前記発電装置は、自然エネルギーを利用して発電し、
前記電圧制御部は、
前記発電装置が設置された環境条件における前記余剰発電量に応じて定められた電圧に、前記第１の出力電圧を制御する
ことを特徴とする請求項１から請求項９のいずれか一項に記載の電源システム。
【請求項１１】
前記電圧制御部は、
前記環境条件において、最大となる前記余剰発電量に応じて定められた電圧に、前記第１の出力電圧を制御する
ことを特徴とする請求項１０に記載の電源システム。
【請求項１２】
前記給電管理装置は、
前記発電量と、前記消費分とに基づいて、前記余剰発電量を算出し、算出した前記余剰発電量に応じて、前記電圧制御部によって制御される前記第１の出力電圧として出力する電圧を定める電圧設定部
を備えることを特徴とする請求項１から請求項１１のいずれか一項に記載の電源システム。
【請求項１３】
前記発電装置は、太陽光を利用して発電する太陽光発電装置であり、
前記電圧設定部は、
前記太陽光発電装置が設置された場所において推定される最大日射強度に基づいて、前記発電量を算出し、算出した当該発電量と、前記消費分とに基づいて前記余剰発電量を算出する
ことを特徴とする請求項１２に記載の電源システム。
【請求項１４】
前記太陽光発電装置が設置された場所の日射強度を測定する日射測定部と、
前記蓄電装置の出力電圧を測定する蓄電電圧測定部と
を備え、
前記電圧制御部は、
前記日射測定部が測定した前記日射強度と、前記最大日射強度と、前記蓄電電圧測定部が測定した前記蓄電装置の出力電圧とに基づいて、前記第１の出力電圧として出力する電圧を変更する
ことを特徴とする請求項１３に記載の電源システム。
【請求項１５】
前記電圧制御部は、
前記日射測定部が測定した前記日射強度が前記最大日射強度以上であり、且つ、前記蓄電装置の出力電圧が前記第２の出力電圧よりも低い場合に、前記第１の出力電圧として出力する電圧を高くする制御を行う
ことを特徴とする請求項１４に記載の電源システム。
【請求項１６】
前記電圧制御部は、
前記日射測定部が測定した前記日射強度が前記最大日射強度以上であり、且つ、前記第２の出力電圧による定電圧充電によって前記蓄電装置の完全充電を所定の時間維持されるような状態となる日数が、所定の回数に達した際に、前記第１の出力電圧として出力する電圧を低くする制御を行う
ことを特徴とする請求項１４又は請求項１５に記載の電源システム。
【請求項１７】
前記第２の出力電圧は、前記蓄電装置の完全充電に要する電圧以上である
ことを特徴とする請求項１から請求項１６のいずれか一項に記載の電源システム。
【請求項１８】
電力を発電する発電装置と、前記発電装置から負荷に電力を供給する電力供給線に接続され、電力を充放電する蓄電装置と、商用電力系統から供給される交流電力を直流電力に変換した第１の出力電圧を前記電力供給線に出力する直流電源装置と、少なくとも前記第１の出力電圧を制御する給電管理装置とを備える電源システムの給電管理装置であって、
前記発電装置が発電する発電量のうちの前記負荷で消費する消費分に対する余剰発電量に応じて定められた電圧であって、前記発電装置が前記電力供給線に出力する第２の出力電圧より低い電圧に、前記第１の出力電圧を制御する電圧制御部を備える
ことを特徴とする給電管理装置。
【請求項１９】
電力を発電する発電装置と、前記発電装置から負荷に電力を供給する電力供給線に接続され、電力を充放電する蓄電装置と、商用電力系統から供給される交流電力を直流電力に変換した第１の出力電圧を前記電力供給線に出力する直流電源装置と、少なくとも前記第１の出力電圧を制御する給電管理装置とを備える電源システムの給電管理方法であって、
前記給電管理装置が、前記発電装置が発電する発電量のうちの前記負荷で消費する消費分に対する余剰発電量に応じて、前記第１の出力電圧として出力する電圧を定める電圧設定ステップと、
前記給電管理装置が、前記電圧設定ステップによって定められた電圧であって、前記発電装置が前記電力供給線に出力する第２の出力電圧より低い電圧に、前記第１の出力電圧を制御する電圧制御ステップと
を含むことを特徴とする給電管理方法。
【請求項２０】
電力を発電する発電装置と、前記発電装置から負荷に電力を供給する電力供給線に接続され、電力を充放電する蓄電装置と、商用電力系統から供給される交流電力を直流電力に変換した第１の出力電圧を前記電力供給線に出力する直流電源装置と、少なくとも前記第１の出力電圧を制御する給電管理装置とを備える電源システムの給電管理装置としてのコンピュータに、
前記給電管理装置が、前記発電装置が発電する発電量のうちの前記負荷で消費する消費分に対する余剰発電量に応じて、前記第１の出力電圧として出力する電圧を定める電圧設定ステップと、
前記給電管理装置が、前記電圧設定ステップによって定められた電圧であって、前記発電装置が前記電力供給線に出力する第２の出力電圧より低い電圧に、前記第１の出力電圧を制御する電圧制御ステップと
を実行させるためのプログラム。
【発明の詳細な説明】
【技術分野】
【０００１】
本発明は、電源システム、給電管理装置、給電管理方法、及びプログラムに関する。
【背景技術】
【０００２】
近年、例えば、太陽電池などの発電装置の発電量に余剰分がある場合に、この余剰分を蓄電装置に充電する技術が知られている（例えば、特許文献１を参照）。
【先行技術文献】
【特許文献】
【０００３】
【特許文献１】特開２００８−１４１９１８号公報
【発明の概要】
【発明が解決しようとする課題】
【０００４】
ところで、上述のような技術では、例えば、充放電計画に基づいて、蓄電装置を充放電する制御を行っている。しかしながら、発電量に余剰分が生じる場合には、これを蓄電装置に充電して、発電装置が発電した電力を有効に利用する好適な制御が求められている。
【０００５】
本発明は、このような状況に鑑みてなされたもので、その目的は、発電装置が発電した電力を有効に利用することができる電源システム、給電管理装置、給電管理方法、及びプログラムを提供することにある。
【課題を解決するための手段】
【０００６】
上記問題を解決するために、本発明の一態様は、電力を発電する発電装置と、前記発電装置から負荷に電力を供給する電力供給線に接続され、電力を充放電する蓄電装置と、商用電力系統から供給される交流電力を直流電力に変換した第１の出力電圧を前記電力供給線に出力する直流電源装置と、少なくとも前記第１の出力電圧を制御する給電管理装置とを備え、前記給電管理装置は、前記発電装置が発電する発電量のうちの前記負荷で消費する消費分に対する余剰発電量に応じて定められた電圧であって、前記発電装置が前記電力供給線に出力する第２の出力電圧より低い電圧に、前記第１の出力電圧を制御する電圧制御部を備えることを特徴とする電源システムである。
【０００７】
また、本発明の一態様は、上記の電源システムにおいて、前記電圧制御部は、前記蓄電装置の放電深度が充電で受け入れる前記余剰発電量と等しくなる状態に対応する電圧に、前記第１の出力電圧を制御することを特徴とする。
【０００８】
また、本発明の一態様は、上記の電源システムにおいて、前記発電装置は、１日のうちの第１の期間に発電し、前記電圧制御部は、少なくとも前記第１の期間の一部期間を含む第２の期間に対して、前記第１の出力電圧を、前記第２の出力電圧より低い電圧に制御することを特徴とする。
【０００９】
また、本発明の一態様は、上記の電源システムにおいて、前記電圧制御部は、前記第２の期間における前記蓄電装置の放電量と、前記第２の期間における前記余剰発電量とが等しくなるように、前記第２の期間及び前記第１の出力電圧を制御することを特徴とする。
【００１０】
また、本発明の一態様は、上記の電源システムにおいて、前記電圧制御部は、前記第１の期間の前に、推定される前記余剰発電量と等しい放電量を前記蓄電装置に放電させるように、前記蓄電装置の放電を開始させる前記第２の期間の開始時刻を制御するとともに、前記第１の期間において前記余剰発電量が前記蓄電装置に充電され、前記放電量が前記蓄電装置に充電されるように、前記第２の期間の終了時刻を制御することを特徴とする。
【００１１】
また、本発明の一態様は、上記の電源システムにおいて、前記電圧制御部は、前記第２の期間の開始時刻において、前記蓄電装置が前記余剰発電量と等しい放電量を放電した場合の放電深度である第１の放電深度に対応する第１電圧値よりも低い第２電圧値に、前記第１の出力電圧を制御し、前記蓄電装置が前記第２の期間の終了時刻より前に前記第１の放電深度に達した場合に、前記第１の出力電圧を前記第１電圧値に変更することを特徴とする。
【００１２】
また、本発明の一態様は、上記の電源システムにおいて、前記電圧制御部は、前記第２の期間、前記蓄電装置が前記余剰発電量と等しい放電量を放電した場合の放電深度である第１の放電深度に対応する第１電圧値に、前記第１の出力電圧を制御することを特徴とする。
【００１３】
また、本発明の一態様は、上記の電源システムにおいて、前記電圧制御部は、前記蓄電装置の放電特性に応じて前記第１電圧値を補正し、補正した前記第１電圧値に前記第１の出力電圧を制御することを特徴とする。
【００１４】
また、本発明の一態様は、上記の電源システムにおいて、前記電圧制御部は、前記蓄電装置が前記余剰発電量と等しい放電量を放電した場合の放電深度である第１の放電深度に対応する第１電圧値以下の電圧値であって、前記蓄電装置が過放電となる放電深度に対応する電圧よりも高い第３電圧値に前記第１の出力電圧を制御することを特徴とする。
【００１５】
また、本発明の一態様は、上記の電源システムにおいて、前記発電装置は、自然エネルギーを利用して発電し、前記電圧制御部は、前記発電装置が設置された環境条件における前記余剰発電量に応じて定められた電圧に、前記第１の出力電圧を制御することを特徴とする。
【００１６】
また、本発明の一態様は、上記の電源システムにおいて、前記電圧制御部は、前記環境条件において、最大となる前記余剰発電量に応じて定められた電圧に、前記第１の出力電圧を制御することを特徴とする。
【００１７】
また、本発明の一態様は、上記の電源システムにおいて、前記給電管理装置は、前記発電量と、前記消費分とに基づいて、前記余剰発電量を算出し、算出した前記余剰発電量に応じて、前記電圧制御部によって制御される前記第１の出力電圧として出力する電圧を定める電圧設定部を備えることを特徴とする。
【００１８】
また、本発明の一態様は、上記の電源システムにおいて、前記発電装置は、太陽光を利用して発電する太陽光発電装置であり、前記電圧設定部は、前記太陽光発電装置が設置された場所において推定される最大日射強度に基づいて、前記発電量を算出し、算出した当該発電量と、前記消費分とに基づいて前記余剰発電量を算出することを特徴とする。
【００１９】
また、本発明の一態様は、上記の電源システムにおいて、前記太陽光発電装置が設置された場所の日射強度を測定する日射測定部と、前記蓄電装置の出力電圧を測定する蓄電電圧測定部と
を備え、前記電圧制御部は、前記日射測定部が測定した前記日射強度と、前記最大日射強度と、前記蓄電電圧測定部が測定した前記蓄電装置の出力電圧とに基づいて、前記第１の出力電圧として出力する電圧を変更することを特徴とする。
【００２０】
また、本発明の一態様は、上記の電源システムにおいて、前記電圧制御部は、前記日射測定部が測定した前記日射強度が前記最大日射強度以上であり、且つ、前記蓄電装置の出力電圧が前記第２の出力電圧よりも低い場合に、前記第１の出力電圧として出力する電圧を高くする制御を行うことを特徴とする。
【００２１】
また、本発明の一態様は、上記の電源システムにおいて、前記電圧制御部は、前記日射測定部が測定した前記日射強度が前記最大日射強度以上であり、且つ、前記第２の出力電圧による定電圧充電によって前記蓄電装置の完全充電が所定の時間維持されるような状態となる日数が、所定の回数に達した際に、前記第１の出力電圧として出力する電圧を低くする制御を行うことを特徴とする。
【００２２】
また、本発明の一態様は、上記の電源システムにおいて、前記第２の出力電圧は、前記蓄電装置の完全充電に要する電圧以上であることを特徴とする。
【００２３】
また、本発明の一態様は、電力を発電する発電装置と、前記発電装置から負荷に電力を供給する電力供給線に接続され、電力を充放電する蓄電装置と、商用電力系統から供給される交流電力を直流電力に変換した第１の出力電圧を前記電力供給線に出力する直流電源装置と、少なくとも前記第１の出力電圧を制御する給電管理装置とを備える電源システムの給電管理装置であって、
前記発電装置が発電する発電量のうちの前記負荷で消費する消費分に対する余剰発電量に応じて定められた電圧であって、前記発電装置が前記電力供給線に出力する第２の出力電圧より低い電圧に、前記第１の出力電圧を制御する電圧制御部を備えることを特徴とする給電管理装置である。
【００２４】
また、本発明の一態様は、電力を発電する発電装置と、前記発電装置から負荷に電力を供給する電力供給線に接続され、電力を充放電する蓄電装置と、商用電力系統から供給される交流電力を直流電力に変換した第１の出力電圧を前記電力供給線に出力する直流電源装置と、少なくとも前記第１の出力電圧を制御する給電管理装置とを備える電源システムの給電管理方法であって、前記給電管理装置が、前記発電装置が発電する発電量のうちの前記負荷で消費する消費分に対する余剰発電量に応じて、前記第１の出力電圧として出力する電圧を定める電圧設定ステップと、前記給電管理装置が、前記電圧設定ステップによって定められた電圧であって、前記発電装置が前記電力供給線に出力する第２の出力電圧より低い電圧に、前記第１の出力電圧を制御する電圧制御ステップとを含むことを特徴とする給電管理方法である。
【００２５】
また、本発明の一態様は、電力を発電する発電装置と、前記発電装置から負荷に電力を供給する電力供給線に接続され、電力を充放電する蓄電装置と、商用電力系統から供給される交流電力を直流電力に変換した第１の出力電圧を前記電力供給線に出力する直流電源装置と、少なくとも前記第１の出力電圧を制御する給電管理装置とを備える電源システムの給電管理装置としてのコンピュータに、前記給電管理装置が、前記発電装置が発電する発電量のうちの前記負荷で消費する消費分に対する余剰発電量に応じて、前記第１の出力電圧として出力する電圧を定める電圧設定ステップと、前記給電管理装置が、前記電圧設定ステップによって定められた電圧であって、前記発電装置が前記電力供給線に出力する第２の出力電圧より低い電圧に、前記第１の出力電圧を制御する電圧制御ステップとを実行させるためのプログラムである。
【発明の効果】
【００２６】
本発明によれば、発電装置が発電した電力を有効に利用することができる。
【図面の簡単な説明】
【００２７】
【図１】第１の実施形態による電源システムの一例を示すブロック図である。
【図２】本実施形態における電池の放電特性の一例を説明する説明図である。
【図３】本実施形態における蓄電装置の放電深度と直流電源装置の出力電圧の設定値との一例を説明する説明図である。
【図４】本実施形態における蓄電装置の出力電圧と電池の単セル電圧との関係を説明する説明図である。
【図５】本実施形態における太陽光発電装置の時刻に対する発電特性の一例を説明する説明図である。
【図６】第１の実施形態による電源システムにおける太陽光発電装置の余剰発電量の一例を説明する説明図である。
【図７】第１の実施形態による電源システムにおける直流電源装置の出力電圧の設定例を説明する説明図である。
【図８】第１の実施形態による電源システムにおける直流電源装置の出力電圧の設定手順を示すフローチャートである。
【図９】第１の実施形態による電源システムの動作の一例を示す第１のタイムチャートである。
【図１０】第１の実施形態による電源システムの動作の一例を示す第２のタイムチャートである。
【図１１】本実施形態における蓄電装置の容量設定の一例を説明する説明図である。
【図１２】第２の実施形態による電源システムの一例を示すブロック図である。
【図１３】第２の実施形態による電源システムにおける直流電源装置の出力電圧の設定手順を示すフローチャートである。
【図１４】第３の実施形態による電源システムの一例を示すブロック図である。
【図１５】第３の実施形態による電源システムの直流電源装置の出力電圧の低下期間の概要を説明する説明図である。
【図１６】第３の実施形態による電源システムの直流電源装置の出力電圧の低下期間の設定処理の一例を示すタイムチャートである。
【図１７】第３の実施形態による電源システムにおける直流電源装置の出力電圧の制御の一例を示すフローチャートである。
【図１８】第３の実施形態による電源システムの動作の一例を示す第１のタイムチャートである。
【図１９】第３の実施形態による電源システムの動作の一例を示す第２のタイムチャートである。
【図２０】第３の実施形態による電源システムの変形例の動作の一例を示すタイムチャートである。
【図２１】第４の実施形態による電源システムにおける直流電源装置の出力電圧の制御の一例を示すフローチャートである。
【図２２】第４の実施形態による電源システムの動作の一例を示すタイムチャートである。
【図２３】第２の実施形態による電源システムの変形例を示すブロック図である。
【発明を実施するための形態】
【００２８】
以下、本発明の一実施形態による電源システムについて図面を参照して説明する。
［第１の実施形態］
図１は、本実施形態による電源システム１の一例を示すブロック図である。
この図において、電源システム１は、直流電源装置３、太陽光発電装置５、蓄電装置６、給電管理装置７、及び測定器９１〜９４を備えている。
【００２９】
直流電源装置３は、例えば、整流器であり、商用電力系統２から供給される交流電力を直流電力に変更する。直流電源装置３は、直流電力に変換した出力電圧（第１の出力電圧）を電力供給線Ｌ１に出力する。なお、直流電源装置３が出力する直流電力は、電力供給線Ｌ１を介して、負荷４、及び蓄電装置６に供給される。なお、負荷４は、本実施形態による電源システム１によって給電される各種装置である。
また、直流電源装置３は、後述する給電管理装置７から出力される制御信号に基づいて、電力供給線Ｌ１に出力する出力電圧（第１の出力電圧）を変更する。
本実施形態における電源システム１は、この直流電源装置３の出力電圧（第１の出力電圧）を所定の設定電圧に制御することにより、太陽光発電装置５が発電した電力を蓄電装置６に充放電して、有効に利用するものである。
【００３０】
太陽光発電装置５（発電装置の一例）は、太陽光を利用して電力を発電する発電装置である。すなわち、本実施形態では、太陽光発電装置５は、自然エネルギー（再生可能エネルギー）を利用した発電装置の一例である。
【００３１】
太陽光発電装置５は、太陽電池パネル５１と、電力変換部５２とを備えている。
太陽電池パネル５１は、太陽電池の基本単位である太陽電池素子（太陽電池セル）を所定の枚数備え、太陽電池素子（太陽電池セル）を配列して、モジュール化（パッケージ化）したものである。太陽電池パネル５１は、例えば、太陽光を受光して発電し、太陽光の日射強度に応じた直流電力を出力する。
【００３２】
電力変換部５２は、太陽電池パネル５１が出力した直流電力を負荷４で利用可能な範囲の電圧に変換して、変換した出力電圧（第２の出力電圧）を電力供給線Ｌ１に出力する。なお、後述するように、第２の出力電圧には、使用される蓄電装置６の完全充電に要する電圧が選定される。
また、電力変換部５２は、後述する給電管理装置７から出力される制御信号に基づいて、電力供給線Ｌ１に出力する出力電圧（第２の出力電圧）を変更する。すなわち、電力変換部５２が電力供給線Ｌ１に出力する出力電圧（第２の出力電圧）は、後述する給電管理装置７から出力される制御信号に基づいて設定される。
なお、太陽光発電装置５の設備容量は、太陽光発電装置５からの発電電力を出力する出力電圧（第２の出力電圧）で負荷４に供給された際に、負荷４が消費する消費電力を上回るように選定されている。
【００３３】
蓄電装置６は、例えば、リチウムイオン電池、鉛蓄電池、ニッケル系蓄電池などを備える蓄電池であり、太陽光発電装置５から負荷４に電力を供給する電力供給線Ｌ１に接続され、電力を充放電する。蓄電装置６は、太陽光発電装置５、又は直流電源装置３から供給された電力を充電（蓄電）するとともに、太陽光発電装置５、又は直流電源装置３の出力電圧が低下した場合に電力を放電することで負荷４に電力を供給する。
本実施形態では、蓄電装置６が複数のリチウムイオン電池を備える組電池として構成される場合の一例について説明する。なお、蓄電装置６の放電特性、及び出力電圧の詳細については後述する。
【００３４】
測定器９１〜９４は、それぞれ電力供給線Ｌ１に配置されており、電流、及び電圧などを測定する。
測定器９１（直流電源測定部）は、直流電源装置３の出力電流、及び出力電圧を測定し、当該測定データを給電管理装置７に出力する。
測定器９２（負荷電流測定部の一例）は、負荷４が消費する消費電流、及び負荷４に供給される電圧を測定し、当該測定データを給電管理装置７に出力する。
測定器９３（発電装置測定部）は、太陽光発電装置５の出力電流、及び出力電圧を測定し、当該測定データを給電管理装置７に出力する。
測定器９４（蓄電電圧測定部の一例）は、蓄電装置６の出力電流、出力電圧（組電池の出力電圧）、及び蓄電装置６の温度（組電池の温度）を測定し、当該測定データを給電管理装置７に出力する。
【００３５】
給電管理装置７は、電源システム１が備える各部を管理する管理装置であり、例えば、少なくとも第１の出力電圧を制御する。
給電管理装置７は、測定データ取得部７１、入力部７２、表示部７３、記憶部７４、及び制御部８０を備えている。
【００３６】
測定データ取得部７１は、測定器９１〜９４が測定した上述した各種測定データを取得し、取得した各種測定データを制御部８０に出力し、制御部８０を介して、取得した各種測定データを記憶部７４に記憶させる。
【００３７】
入力部７２は、例えば、キーボードやポインティング装置などの入力装置、又は外部からデータを入力するインターフェース部などであり、電源システム１を管理するための設定情報などの情報が入力される。入力部７２は、入力された設定情報などの情報を制御部８０に出力し、制御部８０を介して、入力された設定情報などの情報を記憶部７４に記憶させる。なお、設定情報などの情報には、各種電圧の設定値、太陽光発電装置５の容量値、気象情報（例えば、過去の天候、日射強度など）、蓄電装置６の特性情報などが含まれる。これらの情報は、入力部７２を介して給電管理装置７に入力され、予め記憶部７４に記憶されているものとする。
【００３８】
表示部７３は、例えば、液晶ディスプレイ装置などの表示装置であり、入力部７２に設定情報などの情報を入力する際や、既に設定されている設定情報などの情報を利用者（管理者）が確認する際に、設定情報などの情報を表示する。
【００３９】
記憶部７４は、給電管理装置７で利用する各種データを記憶する。記憶部７４は、例えば、上述した測定データ取得部７１が取得した各種測定データ、入力部７２から入力された設定情報などの情報、及び後述する制御部８０が演算、又は生成した情報などを記憶する。
【００４０】
制御部８０は、例えば、ＣＰＵ（Central Processing Unit）などを含むプロセッサであり、給電管理装置７を統括的に制御する。制御部８０は、電圧制御部８１と、電圧算出部８２とを備えている。
【００４１】
電圧制御部８１は、太陽光発電装置５が発電する発電量（例えば、発電電力又は発電電流）のうちの負荷４で消費する消費分（例えば、消費電力又は消費電流）に対する余剰発電量に対応する蓄電装置６の放電深度に応じて定められた電圧であって、太陽光発電装置５が電力供給線Ｌ１に出力する出力電圧（第２の出力電圧）より低い電圧に、直流電源装置３の出力電圧（第１の出力電圧）を制御する。電圧制御部８１は、例えば、蓄電装置６の放電深度が、太陽光発電装置５の余剰発電量による完全充電に対応する状態となるような電圧、すなわち、蓄電装置６の放電深度が充電で受け入れる余剰発電量と等しくなる状態に対応する電圧に、直流電源装置３の出力電圧を制御する。具体的に、電圧制御部８１は、後述する電圧算出部８２が算出した設定電圧値（第１電圧値）に直流電源装置３の出力電圧を制御する制御信号を直流電源装置３に対して出力する。
また、電圧制御部８１は、太陽光発電装置５が電力供給線Ｌ１に出力する出力電圧（第２の出力電圧）を所定の電圧値（第２電圧値）に制御する。ここで、所定の電圧値（第２電圧値）は、蓄電装置６の最大出力電圧、すなわち、完全充電（フル充電）に要する電圧を含め、これ以上の値である。具体的に、電圧制御部８１は、所定の電圧値（第２電圧値）に太陽光発電装置５の出力電圧（第２の出力電圧）を制御する制御信号を太陽光発電装置５に対して出力する。その結果、太陽光発電装置５の出力電圧（第２の出力電圧）は、例えば、蓄電装置６の最大出力電圧、すなわち、完全充電（フル充電）に要する電圧を含め、これ以上の値となる。
【００４２】
電圧算出部８２（電圧設定部の一例）は、太陽光発電装置５の発電量と、負荷４の消費量（消費分）とに基づいて、太陽光発電装置５の余剰発電量を算出し、算出した余剰発電量に対応する蓄電装置６の放電深度に応じて、電圧制御部８１によって制御される直流電源装置３の出力電圧として出力する設定電圧値（第１電圧値）を算出する。電圧算出部８２は、例えば、太陽光発電装置５が設置された場所において推定される最大日射強度に基づいて、太陽光発電装置５の発電量（例えば、発電の電気量）を算出し、算出した当該発電量と、負荷４の消費量（例えば、消費電流量（消費電気量））とに基づいて余剰発電量を算出する。
【００４３】
なお、電圧算出部８２が算出する設定電圧値（第１電圧値）は、太陽光発電装置５が設置された環境条件（例えば、日射強度）における余剰発電量に対応する蓄電装置６の放電深度に応じて定められた電圧であり、具体的には、太陽光発電装置５が設置された環境条件において、最大となる余剰発電量が算出され、この最大となる余剰発電量を充電によって受け入れ可能とする、蓄電装置６の放電深度に応じて定められた電圧である。すなわち、この設定電圧値（第１電圧値）は、最大となる余剰発電量を蓄電装置６に充電させて回収できるように、蓄電装置６を一部放電した状態とするような電圧値である。
この直流電源装置３の出力電圧として出力する設定電圧値（第１電圧値）の算出の詳細については後述する。
【００４４】
ここで、電圧算出部８２による直流電源装置３の出力電圧として出力する設定電圧値（第１電圧値）の算出について説明する前に、蓄電装置６の放電特性、及び出力電圧について説明する。
【００４５】
＜蓄電装置６の放電特性、及び出力電圧＞
ここでは、蓄電装置６が備える電池（例えば、リチウムイオン電池）の放電特性の一例について説明する。
【００４６】
図２は、本実施形態における電池の放電特性の一例を説明する説明図である。
この図において、波形Ｗ１は、リチウムイオン電池（未使用で完全充電状態（初期状態））の単セルにおける放電特性を示しており、放電量に応じて、出力電圧が低下していくことを示している。このグラフにおいて、縦軸は、単セル当りの電圧（Ｖ／セル）を示し、横軸は、放電量（％）を示している。ここで、放電量とは、完全充電状態を“１００”とした場合の放電した電気量（又は電力量）を示しているとともに、充電可能な電気量を示している。この放電量は、放電深度（％）又は、未充電量（％）と同義である。
なお、図２において、４．１Ｖが、リチウムイオン電池を蓄電装置６に使用した場合の完全充電に要する電圧になる。
【００４７】
図２に示す例では、例えば、完全充電状態では、リチウムイオン電池の単セルにおける出力電圧は、“４．１Ｖ”であり、放電深度が“２０％”の場合（ポイントＰ１）に、出力電圧が“４．０Ｖ”であることを示している。また、放電深度が“３０％”の場合（ポイントＰ２）に、出力電圧が“３．９Ｖ”であることを示し、放電深度が“５０％”の場合（ポイントＰ３）に、出力電圧が“３．８Ｖ”であることを示している。ここで、例えば、放電深度が“３０％”である場合（ポイントＰ２）には、リチウムイオン電池の“３０％”分の電気量（電力量）を充電可能であることを示している。
【００４８】
また、図３は、本実施形態における蓄電装置６の放電深度と直流電源装置３の出力電圧の設定値との一例を説明する説明図である。
この図において、蓄電装置６は、リチウムイオン電池の単セルを１２個直列に接続する組電池を有しており、例えば、放電深度が“２０％”の場合、蓄電装置６の出力電圧は、単セル基準で“４．０Ｖ”であり、蓄電装置６全体において“４８Ｖ”となることを示している。なお、この場合、直流電源装置３の出力電圧の設定値を“４８Ｖ”にすることで、蓄電装置６の“２０％”分が自動的に放電され、蓄電装置６は、“２０％”分の充電可能な領域を確保することになる。
同様に、放電深度が“３０％”の場合、蓄電装置６の出力電圧は、蓄電装置６全体において“４６．８Ｖ”となることを示し、放電深度が“５０％”の場合、蓄電装置６の出力電圧は、蓄電装置６全体において“４５．６Ｖ”となることを示している。
【００４９】
また、図４は、本実施形態における蓄電装置６の出力電圧と電池の単セル電圧との関係を説明する説明図である。併せて、図４は、太陽光発電装置５からの電力を、電力変換部５２を介して負荷４に供給する際の電圧についても示している。
図４（ａ）は、４８Ｖ系電源の出力保障範囲と蓄電装置６の出力電圧の関係を示し、図４（ｂ）は、これに対応するリチウムイオン電池の単セル電圧を示している。なお、４８Ｖ系電源の出力保障範囲（負荷の動作保障範囲は、４８Ｖ±５Ｖ（＝４３Ｖ〜５３Ｖ）であり、直流電源装置３の出力電圧は、この範囲内で設定可能である。また、太陽光発電装置５の出力電圧も、同様に、４８Ｖ±５Ｖ（＝４３Ｖ〜５３Ｖ）で設定可能である。ただし、電池の完全充電の確保と、過充電の防止の観点から電圧選定が行われ、ここでは、太陽光発電装置５の出力電圧は、蓄電装置６の完全充電に相当する電圧値（ポイントＰ４の４．１Ｖ/ セル）とされる。また、直流電源装置３をフロート充電によって運用する際にも、この電圧が選定される。
【００５０】
この図に示すように、リチウムイオン電池の完全充電に相当する単セル電圧が、“４．１Ｖ”である場合、蓄電装置６の出力電圧は、“４９．２Ｖ”に対応する（ポイントＰ４参照）。このポイントＰ４に示す例は、“４．１Ｖ”のリチウムイオン電池の単セルを１２個直列に接続した組電池の出力電圧（又は、充電電圧）が“４９．２Ｖ”であることを示している。また、リチウムイオン電池の単セル電圧が、“３．９Ｖ”である場合に、蓄電装置６の出力電圧は、“４６．８Ｖ”に対応する（ポイントＰ５参照）。この場合は、上述した放電深度が“３０％”の場合を示している。
このように本実施形態において、蓄電装置６の出力電圧は、リチウムイオン電池の単セル電圧を１２倍した電圧となる。
【００５１】
次に、本実施形態における太陽光発電装置５の発電特性について説明する。
＜太陽光発電装置５の発電特性＞
図５は、本実施形態における太陽光発電装置５の時刻に対する発電特性の一例を説明する説明図である。
なお、ここでは、負荷４の消費電力（消費量）が５００Ｗ（ワット）（消費電流が、電圧５０Ｖの場合に１０Ａ）であり、太陽光発電装置５の設備容量が、１０００Ｗである場合の一例について説明する。
【００５２】
この図に示すグラフにおいて、縦軸は、日射強度（ｋＷ（キロワット）／ｍ２（平方メートル））及び太陽光発電装置５の発電電流（Ａ）を示し、横軸は、１日における時刻を示している。また、波形Ｗ２は、太陽光発電装置５が設置されている場所におけるある月（例えば、７月）の最大日射強度（及び最大日射強度における発電電流）の１日の変化を示している。波形Ｗ３は、太陽光発電装置５が設置されている場所におけるある月（例えば、７月）の平均日射強度（及び平均日射強度における発電電流）の１日の変化を示している。また、波形Ｗ４は、太陽光発電装置５が設置されている場所におけるある月（例えば、７月）の最低日射強度（及び最低日射強度における発電電流）の１日の変化を示している。
【００５３】
ここで、太陽光発電装置５の発電量（発電電流）は、太陽光発電装置５の変換効率及び太陽電池パネル５１の面積に基づく換算式（又は換算テーブル）を利用して、日射強度から算出可能である。図５に示す例では、例えば、最大日射強度のピーク時である１ｋＷ／ｍ２に対応する発電電流は、２０Ａに換算される。
また、負荷４の消費電流Ｉｌｏａｄは、１０Ａである場合を示しており、負荷４の消費電流Ｉｌｏａｄを超えた分が余剰発電量となる。
図５に示す例では、領域Ａ１は、最大日射強度における余剰発電量（余剰電気量）を示している。この場合、領域Ａ１の余剰発電量は、その月における最大充電量（最大充電電気量）になる。
【００５４】
次に、上述した蓄電装置６の放電特性及び出力電圧と、上述した太陽光発電装置５の発電特性とを前提として、本実施形態における直流電源装置３の出力電圧（第１の出力電圧）の設定処理について、図６及び図７を参照して説明する。
【００５５】
＜直流電源装置３の出力電圧の設定処理＞
図６は、本実施形態による電源システム１における太陽光発電装置５の余剰発電量の一例を説明する説明図である。
この図に示すグラフにおいて、縦軸は、太陽光発電装置５が発電する電流（Ａ）及び電気量（Ａｈ）を示し、横軸は、１日における時刻を示している。
このグラフにおいて、波形Ｗ５は、太陽光発電装置５の最大日射強度における発電特性を示し、波形Ｗ６は、太陽光発電装置５において、負荷４の消費電流Ｉｌｏａｄを超える余剰な発電電流を累積した電気量を示している。なお、ここでは、負荷４の消費電流Ｉｌｏａｄは、１０Ａであり、時刻Ｔ１から時刻Ｔ２までの期間において、太陽光発電装置５の余剰な発電電流が発生する。また、領域Ａ１は、太陽光発電装置５の余剰発電分を示している。
【００５６】
電圧算出部８２は、図６に示すように、余剰な発電電流の累積値を算出することにより、最大日射強度の日における太陽光発電装置５の余剰発電量“５０Ａｈ”（領域Ａ１の面積に相当）を算出する。すなわち、電圧算出部８２は、太陽光発電装置５が設置された場所において推定される最大日射強度に基づいて、発電量を算出し、算出した当該発電量と、負荷４の消費量（消費分）とに基づいて余剰発電量を算出する。
なお、本実施形態における電源システム１では、算出した太陽光発電装置５の余剰発電量（電気量“５０Ａｈ”）を蓄電装置６が充電により受け入れ可能となるように、蓄電装置６を“５０Ａｈ”分放電させた状態で維持する。すなわち、本実施形態における電源システム１では、蓄電装置６が“５０Ａｈ”分放電された状態になるように、直流電源装置３の出力電圧（第１の出力電圧）を太陽光発電装置５の出力電圧（第２の出力電圧）よりも低い値に設定する。
なお、本実施形態では、後ほど図を用いて説明するように、直流電源装置３の出力電圧（第１の出力電圧）は、常時、この値に保たれる。
【００５７】
次に、図７を参照して、太陽光発電装置５の余剰発電量（電気量“５０Ａｈ”）に基づいた直流電源装置３の出力電圧（第１の出力電圧）の設定電圧値（第１電圧値）の設定処理について説明する。
図７は、本実施形態による電源システムにおける直流電源装置３の出力電圧の設定例を説明する説明図である。
なお、この図において、蓄電装置６の完全充電電圧が４．１Ｖ／セルであり、且つ、放電容量が２００Ａｈであるリチウムイオン電池を単セルとして備える場合の一例について説明する。
【００５８】
この図に示すグラフは、縦軸が蓄電装置６の単セル当りの出力電圧（Ｖ／セル）を示し、横軸は、蓄電装置６の放電量（放電深度）（％）を示している。なお、横軸の放電量（％）には、電気量（Ａｈ）及び負荷４の消費電流における放電時間（ｈ）の換算値を併記している。
また、この図に示す波形Ｗ７は、負荷４の消費電流Ｉｌｏａｄと等しい１０Ａにおける蓄電装置６の単セルでの放電特性を示している。直流電源装置３の出力電圧（第１の出力電圧）の選定に当たっては、この図に示すように負荷と等しい電流における放電特性が用いられる。
【００５９】
電圧算出部８２は、算出した上述の太陽光発電装置５の余剰発電量（電気量“５０Ａｈ”）から、波形Ｗ７に示す放電特性を利用して、直流電源装置３の出力電圧（第１の出力電圧）の設定電圧値（第１電圧値）を算出する。具体的に、電圧算出部８２は、波形Ｗ７に示す放電特性に基づいて、電気量“５０Ａｈ”（放電量（放電深度）“２５％”）に対応する電圧値“３．９５Ｖ”（ポイントＰ６の電圧値）を算出する。ここで、蓄電装置６は、上述したように単セルを１２個直列に接続した組電池であるので、電圧算出部８２は、電圧値“３．９５Ｖ”を１２倍した“４７．４Ｖ”を設定電圧値（第１電圧値）として算出する。
なお、上述した日射強度及び太陽光発電装置５の発電特性の情報と、上述した蓄電装置６の放電特性の情報は、予め記憶部７４に記憶されており、電圧算出部８２は、記憶部７４に記憶されているこれらの情報に基づいて、設定電圧値（第１電圧値）を算出する。
【００６０】
本実施形態では、電圧制御部８１は、電圧算出部８２が上述のように算出した設定電圧値（第１電圧値）に直流電源装置３の出力電圧（第１の出力電圧）を制御する。すなわち、電圧制御部８１は、太陽光発電装置５が設置された環境条件における余剰発電量に応じて定められた電圧（例えば、余剰発電量に対応する蓄電装置６の放電深度に応じて定められた電圧）に、直流電源装置３の出力電圧を制御する。なお、上述に示す例の場合には、電圧制御部８１は、太陽光発電装置５が設置された環境条件において、最大となる余剰発電量に対応する蓄電装置６の放電深度に応じて定められた電圧に、直流電源装置３の出力電圧を制御する。
【００６１】
次に、本実施形態における電源システム１の動作について図面を参照して説明する。
図８は、本実施形態による電源システム１における直流電源装置３の出力電圧の設定手順を示すフローチャートである。
ここでは、所定の期間ごと（例えば、１ヶ月ごと）に、直流電源装置３の出力電圧を設定し直す場合の一例について説明する。
【００６２】
この図において、給電管理装置７の電圧算出部８２は、日射強度情報を取得する（ステップＳ１０１）。すなわち、電圧算出部８２は、例えば、記憶部７４に予め記憶されている、所定の期間に対応する日射強度情報を取得する。
【００６３】
次に、電圧算出部８２は、取得した日射強度情報に基づいて余剰発電量を算出する（ステップＳ１０２）。電圧算出部８２は、例えば、図６を参照して説明したように、所定の期間内の最大日射強度における太陽光発電装置５の発電量（例えば、発電電流）と、負荷４の消費量（消費電流Ｉｌｏａｄ）とに基づいて、余剰発電量（図６に示す電気量“５０Ａｈ”）を算出する。
【００６４】
次に、電圧算出部８２は、余剰発電量に対応する放電深度から設定電圧値（第１電圧値）を算出する（ステップＳ１０３）。すなわち、電圧算出部８２は、余剰発電量と等しくなる放電深度に対応する設定電圧値（第１電圧値）を算出する。電圧算出部８２は、例えば、図７を参照して説明したように、余剰発電量（例、電気量“５０Ａｈ”）に等しい放電深度（２５％）から設定電圧値（例、３．９５Ｖ）を定める。
【００６５】
次に、給電管理装置７の電圧制御部８１は、直流電源装置３の出力電圧を、算出した設定電圧値（第１電圧値）に制御する（ステップＳ１０４）。具体的には、電圧制御部８１は、直流電源装置３の出力電圧を電圧算出部８２によって設定された設定電圧値に変更させる制御信号を直流電源装置３に出力して、直流電源装置３の出力電圧を変更する。
【００６６】
次に、電圧制御部８１は、所定の期間が経過したが否か（見直し時期か否か）を判定する（ステップＳ１０５）。電圧制御部８１は、例えば、１ヶ月経過したか否かを判定する。電圧制御部８１は、所定の期間が経過した場合（ステップＳ１０５：ＹＥＳ）に、処理をステップＳ１０１に戻し、電圧算出部８２は、次の所定の期間（例えば、次の月）の日射強度情報を取得する。
また、電圧制御部８１は、所定の期間が経過していない場合（ステップＳ１０５：ＮＯ）に、処理をステップＳ１０４に戻す。
【００６７】
このように、給電管理装置７は、所定の期間ごと（例えば、１ヶ月ごと）に、日射強度情報に基づいて設定電圧値を定めて、直流電源装置３の出力電圧を設定電圧値に変更する。すなわち、所定の期間ごと（例えば、１ヶ月ごと）に、該当月の最大日射強度を求め、これに対応する直流電源装置３の出力電圧を再設定する。これにより、該当月における余剰発電量は、全て蓄電装置６によって回収することが可能となる。
【００６８】
次に、図９及び図１０を参照して、本実施形態における電源システムの動作の一例を説明する。なお、これらの図における蓄電装置６の容量や余剰発電量等の諸条件は、すでに説明してきた内容と同一である。また、本実施例では、直流電源装置３の出力電圧は、常時、設定電圧値（第１電圧値）に保たれている。
図９は、本実施形態による電源システム１の動作の一例を示す第１のタイムチャートである。
ここでは、日射強度が、平均日射強度であり、太陽光発電装置５の余剰発電量が発生しない場合の一例について説明する。
【００６９】
この図において、縦軸は、（ａ）蓄電装置６の出力電圧と、（ｂ）負荷４への供給電流を示している。また、横軸は、１日における時刻を示している。
また、波形Ｗ８は、蓄電装置６の出力電圧の変化を示し、波形Ｗ９は、平均日射強度における発電電流の波形を示している。なお、波形Ｗ１０は、比較のために、最大日射強度における発電電流の波形を示している。ここで、負荷４が消費する電流は、消費電流Ｉｌｏａｄである。また、“Ｖｆ＝４７．４Ｖ”は、直流電源装置３の出力電圧（第１の出力電圧）に相当し、“Ｖｓｏｌａｒ＝４９．２Ｖ”は、太陽光発電装置５の出力電圧（第２の出力電圧）に相当する。
【００７０】
図９に示す例では、時刻Ｔ１０（０時）から時刻Ｔ１１（６時）までの期間ＴＲ１において、太陽光発電装置５が発電を行わないため、直流電源装置３が負荷４に電力を供給する。したがって、この期間ＴＲ１における蓄電装置６の出力電圧は、例えば、上述した設定電圧値（第１電圧値）を示す“Ｖｆ＝４７．４Ｖ”のままである。そして、この出力電圧で維持された蓄電装置６は、最大余剰発電量分に対応する放電深度（５０Ａｈ，放電深度２５％）まで、既に放電された状態になる。
【００７１】
次に、時刻Ｔ１１（６時）において、太陽光発電装置５が発電を開始して、時刻Ｔ１１（６時）から時刻Ｔ１３（１２時）までの期間において、太陽光発電装置５の発電量が徐々に増加する。なお、この時刻Ｔ１１（６時）から時刻Ｔ１３（１２時）までの期間において、直流電源装置３及び太陽光発電装置５が負荷４に電力を供給する。
【００７２】
また、時刻Ｔ１３（１２時）から時刻Ｔ１５（１８時）までの期間において、太陽光発電装置５の発電量が徐々に減少し、時刻Ｔ１５（１８時）において、太陽光発電装置５が発電を終了する。なお、この時刻Ｔ１３（１２時）から時刻Ｔ１５（１８時）までの期間においても、直流電源装置３及び太陽光発電装置５が負荷４に電力を供給する。
【００７３】
このように、時刻Ｔ１１（６時）から時刻Ｔ１５（１８時）までの期間ＴＲ２において、太陽光発電装置５が発電し、直流電源装置３及び太陽光発電装置５が負荷４に電力を供給する。そして、時刻Ｔ１５（１８時）以降の期間ＴＲ３において、再び、直流電源装置３が負荷４に電力を供給する。
ここで、領域Ａ２は、太陽光発電装置５の供給分の供給電流を示し、領域Ｒ１及び領域Ｒ２は、直流電源装置３の供給分の供給電流を示している。
なお、この図において、時刻Ｔ１２から時刻Ｔ１４までの期間は、最大日射強度における発電電流の場合（波形Ｗ１０）において余剰発電量が発生する期間を比較のために示している。
【００７４】
この図９に示した例では、太陽光発電装置５の余剰発電量が発生しない場合であるが、太陽光発電装置５の発電量に応じて、直流電源装置３及び太陽光発電装置５の出力電力が適切な配分で負荷４に供給される。
一方、図９から明らかなように、蓄電装置６の充電は行われないため、波形Ｗ８に示すように日中において蓄電装置６の電圧上昇は起こらない。
【００７５】
図１０は、本実施形態による電源システム１の動作の一例を示す第２のタイムチャートである。
ここでは、日射強度が、最大日射強度であり、太陽光発電装置５の余剰発電量が最大となる場合の一例について説明する。
【００７６】
この図において、縦軸は、（ａ）蓄電装置６の出力電圧と、（ｂ）負荷４への供給電流を示している。また、横軸は、１日における時刻を示している。
また、波形Ｗ１１は、蓄電装置６の出力電圧の変化を示し、波形Ｗ９及び波形Ｗ１０は、図９と同様である。また、負荷４が消費する電流は、図９と同様に、消費電流Ｉｌｏａｄである。
【００７７】
図１０に示す時刻Ｔ１０（０時）から時刻Ｔ１１（６時）までの期間ＴＲ１において、図９と同様であり、太陽光発電装置５が発電を行わないため、直流電源装置３が負荷４に電力を供給する。
次に、時刻Ｔ１１（６時）において、太陽光発電装置５が発電を開始して、時刻Ｔ１１（６時）から時刻Ｔ１２（９時）までの期間ＴＲ２１において、太陽光発電装置５の発電量が徐々に増加する。そして、時刻Ｔ１２（９時）において、太陽光発電装置５の発電量（発電電流）が、負荷４の消費電流Ｉｌｏａｄと等しくなる。なお、この期間ＴＲ２１において、直流電源装置３及び太陽光発電装置５が負荷４に電力を供給する。
【００７８】
次に、時刻Ｔ１２（９時）から時刻Ｔ１３（１２時）を経て時刻Ｔ１４（１５時）までの期間ＴＲ２２において、太陽光発電装置５では、太陽光発電装置５からの発電量（発電電流）が、負荷４の消費電流Ｉｌｏａｄを超えて、余剰発電量が発生する。この期間ＴＲ２２において、太陽光発電装置５が負荷４に電力を供給するとともに、余剰発電量が全て蓄電装置６に充電される。これにより、蓄電装置６の出力電圧は、上昇して行き、時刻Ｔ１４において、蓄電装置６の充電が完了して太陽光発電装置５の出力電圧（第２の出力電圧、Ｖｓｏｌａｒ＝４９．２Ｖ）と等しい電圧となる。すなわち、この時点で、蓄電装置６の電圧は、完全充電状態に相当する電圧まで上昇する。
【００７９】
次に、時刻Ｔ１４（１５時）から時刻Ｔ１５（１８時）までの期間ＴＲ２３において、蓄電装置６及び太陽光発電装置５が負荷４に電力を供給し、さらに、続く期間ＴＲ４において蓄電装置６に充電された電力が全て放電される。
そして、時刻Ｔ１５（１８時）において、太陽光発電装置５が発電を終了し、時刻Ｔ１５（１８時）から時刻Ｔ１６までの期間ＴＲ４において、蓄電装置６及び直流電源装置３が負荷４に電力を供給し、蓄電装置６からの放電の終了に伴い、出力電圧が上述した設定電圧値（第１電圧値）を示す“Ｖｆ＝４７．４Ｖ”に戻る。このように、この条件の場合、蓄電装置６に充電された余剰発電量の全てが放電される期間は、時刻Ｔ１４（１５時）から時刻Ｔ１６までの期間ＴＲ５である。
そして、時刻Ｔ１６以降の期間ＴＲ６において、直流電源装置３が負荷４に電力を供給する。
【００８０】
ここで、領域Ａ１は、太陽光発電装置５の余剰発電量を示し、領域Ａ３は、太陽光発電装置５の供給分の供給電流を示し、領域Ｒ３及び領域Ｒ４は、直流電源装置３の供給分の供給電流を示している。また、領域Ｄ１は、蓄電装置６の供給分の供給電流を示している。
【００８１】
この図１０は、太陽光発電装置５の余剰発電量が最大となる場合の例であり、上述の条件設定により、最大日射強度の日において、太陽光発電装置５の余剰発電量を蓄電装置６に充電するとともに、太陽光発電装置５が発電を終了した後に、蓄電装置６が充電した余剰発電量分の電力を負荷４に供給することができる。なお、最大日射強度の日の余剰発電量に対応した条件設定を行うと、最大日射強度以下の日の余剰発電量が全て充電によって回収できることになる。従って、先にも示したように、ある月において、その月の最大日射強度の日に対応した条件を設定すれば、その月において、余剰発電量が発生する全ての日において、余剰発電量が回収されることになる。
このように、電源システム１は、太陽光発電装置５が発電した電力を有効に利用することができる。
【００８２】
なお、本実施形態における電源システム１では、太陽光発電装置５が発電していない場合には、蓄電装置６の出力電圧は、余剰発電量の最大値を充電で受け入れ可能な放電深度に対応する電圧値となる。そのため、直流電源装置３が停電して蓄電装置６をバックアップ電源とした場合、完全充電状態にある蓄電装置６に比べると、負荷４に電力を供給する期間が短くなる。そこで、その対策として、図１１に示すように、蓄電装置６の容量を予め大きく設定してもよい。
【００８３】
図１１は、本実施形態における蓄電装置６の容量設定の一例を説明する説明図である。
この図に示すグラフにおいて、縦軸は、蓄電装置６の単セル電圧（Ｖ／セル）を示し、横軸は、蓄電装置６の放電量（％）を示している。なお、この図により容量設定を行う場合には、負荷電流と同じ電流における放電特性が用いられる。
この図において、波形Ｗ１２は、電池容量を増加していない場合の蓄電装置６における単セルでの放電特性を示しており、波形Ｗ１３は、電池容量を増加した場合の蓄電装置６における単セルでの放電特性を示している。
【００８４】
ここで、波形Ｗ１２において、期間ＴＲ１０は、完全充電状態から負荷４に電力を供給する場合の期間であり、例えば、直流電源装置３の出力電圧を３．９Ｖにした場合の蓄電装置６の放電深度は、ポイントＰ７に示す３０％になる。この放電深度が３０％である場合、期間ＴＲ１１分が既に放電された状態であるため、ポイントＰ７の時点から負荷４に電力を供給できる期間ＴＲ１２は、期間ＴＲ１０の７０％に相当する。
そこで、同一の電流を放電した場合の放電特性を示す波形Ｗ１３において、ポイントＰ８の３．９Ｖからの放電時間（期間ＴＲ１３）が期間ＴＲ１０と等しくなるように、バックアップ電源とした蓄電装置６の容量を選定してもよい。具体的には、バックアップ電源とした蓄電装置６の容量を以下の式（１）に算出されるように増加させる。
【００８５】
蓄電装置６の容量＝１００／０．７＝１４２（％）  ・・・  （１）
【００８６】
この場合、本実施形態における電源システム１では、蓄電装置６の容量が、４２％分増加させて設定される。これにより、電源システム１は、電流値や放電深度が上記と異なる場合でも、同様の処理で行うことができる。
【００８７】
以上説明したように、本実施形態における電源システム１は、太陽光発電装置５（発電装置の一例）と、蓄電装置６と、直流電源装置３と、給電管理装置７とを備えている。太陽光発電装置５は、電力を発電し、蓄電装置６は、太陽光発電装置５から負荷４に電力を供給する電力供給線Ｌ１に接続され、電力を充放電する。直流電源装置３は、商用電力系統２から供給される交流電力を直流電力に変換した第１の出力電圧を電力供給線Ｌ１に出力し、給電管理装置７は、少なくとも第１の出力電圧を制御する。そして、給電管理装置７は、太陽光発電装置５が発電する発電量のうちの負荷で消費する消費分に対する余剰発電量に応じて定められた電圧であって、太陽光発電装置５が電力供給線Ｌ１に出力する第２の出力電圧より低い電圧に、第１の出力電圧を制御する電圧制御部８１を備えている。
【００８８】
これにより、本実施形態における電源システム１は、太陽光発電装置５が発電していない場合には、蓄電装置６を第１の出力電圧に対応する放電深度まで放電させた状態で、直流電源装置３から負荷４に電力を供給する。また、太陽光発電装置５が発電し、且つ、余剰発電量が生じていない場合には、本実施形態における電源システム１は、直流電源装置３、及び太陽光発電装置５から、太陽光発電装置５の発電量に応じた適切な配分で負荷４に電力を供給する。そして、太陽光発電装置５が発電し、且つ、余剰発電量が生じている場合には、本実施形態における電源システム１は、太陽光発電装置５から負荷４に電力を供給するとともに、余剰発電量分を蓄電装置６に充電する。そして、蓄電装置６の放電深度は、例えば、最大日射強度の日における最大余剰発電量に対応しているので、この条件に設定しておくことで、最大日射強度以下の全ての日の余剰発電量の回収が可能になる。このように、本実施形態における電源システム１は、太陽光発電装置５の余剰発電量分を蓄電装置６に充電することにより、太陽光発電装置５が発電した電力を有効に利用することができる。
【００８９】
さらに、本実施形態における電源システム１は、直流電源装置３の出力電圧である第１の出力電圧を制御するという簡易な制御により、直流電源装置３が商用電力系統２から変換した電力と太陽光発電装置５が発電した電力とを適切に配分して負荷に供給することができる。なお、本実施形態における電源システム１では、直流電源装置３から負荷４への電力の供給、及び太陽光発電装置５から負荷４への電力の供給を切り替えるための切り替え手段（例えば、スイッチなど）を必要としない。そのため、本実施形態における電源システム１では、構成を簡略化することができる。
【００９０】
また、本実施形態では、電圧制御部８１は、余剰発電量を蓄電装置６に充電可能な放電深度に対応する電圧（例えば、蓄電装置６の放電深度が充電で受け入れる余剰発電量と等しくなる状態に対応する電圧）に、直流電源装置３の出力電圧（第１の出力電圧）を制御する。
これにより、本実施形態における電源システム１では、余剰発電量分を無駄なく蓄電装置６に充電することができるので、太陽光発電装置５が発電した電力を有効に利用することができる。
【００９１】
また、本実施形態では、太陽光発電装置５は、自然エネルギー（例えば、太陽光）を利用して発電し、電圧制御部８１は、太陽光発電装置５が設置された環境条件（例えば、日射強度などの気象条件）における余剰発電量に応じて定められた電圧に、直流電源装置３の出力電圧（第１の出力電圧）を制御する。
これにより、本実施形態における電源システム１では、太陽光発電装置５が設置された場所における余剰発電量に応じた電圧に直流電源装置３の出力電圧を制御するので、直流電源装置３の出力電圧を適切に制御することができる。
【００９２】
また、本実施形態では、電圧制御部８１は、環境条件（例えば、日射強度などの気象条件）において、最大となる余剰発電量に応じて定められた電圧に、直流電源装置３の出力電圧（第１の出力電圧）を制御する。
これにより、本実施形態における電源システム１は、太陽光発電装置５が設置された場所において最大となる余剰発電量に応じて直流電源装置３の出力電圧を適切に制御することができるので、余剰発電量分を無駄なく確実に、蓄電装置６に充電することができる。
【００９３】
また、本実施形態では、給電管理装置７は、太陽光発電装置５の発電量と、負荷４の消費分（消費量）とに基づいて、余剰発電量を算出し、算出した余剰発電量に応じて、電圧制御部８１によって制御される第１の出力電圧として出力する電圧値を定める電圧算出部８２（電圧設定部の一例）を備えている。
これにより、本実施形態における電源システム１は、例えば、太陽光発電装置５の発電量（例えば、発電電力又は発電電流）や負荷４の消費分（例えば、消費電力又は消費電流）が変動した場合であっても、直流電源装置３の出力電圧（第１の出力電圧）を適切に設定することができる。
【００９４】
また、本実施形態では、太陽光発電装置５の出力電圧（第２の出力電圧）は、蓄電装置６の完全充電に要する電圧（例えば、蓄電装置６の完全充電（フル充電）に相当する電圧）以上である。
これにより、本実施形態における電源システム１は、蓄電装置６を完全充電（フル充電）状態まで充電して利用することができる。よって、本実施形態における電源システム１は、太陽光発電装置５が発電した電力を有効に利用することができる。
【００９５】
また、本実施形態によれば、給電管理装置７は、太陽光発電装置５が発電する発電量のうちの負荷で消費する消費分に対する余剰発電量に応じて（例えば、余剰発電量に対応する蓄電装置６の放電深度に応じて）定められた電圧であって、太陽光発電装置５が電力供給線Ｌ１に出力する第２の出力電圧より低い電圧に、第１の出力電圧を制御する電圧制御部８１を備えている。
これにより、本実施形態における給電管理装置７は、電源システム１と同様に、太陽光発電装置５が発電した電力を有効に利用することができる。
【００９６】
また、本実施形態における給電管理方法は、上述した電源システム１の給電管理方法であって、電圧設定ステップと、電圧制御ステップとを含んでいる。電圧設定ステップにおいて、給電管理装置７が、太陽光発電装置５が発電する発電量のうちの負荷４で消費する消費分に対する余剰発電量に応じて（例えば、余剰発電量に対応する蓄電装置６の放電深度に応じて）、直流電源装置３の出力電圧（第１の出力電圧）として出力する電圧を定める。そして、電圧制御ステップにおいて、給電管理装置７が、電圧設定ステップによって定められた電圧であって、太陽光発電装置５が電力供給線Ｌ１に出力する第２の出力電圧より低い電圧に、直流電源装置３の出力電圧（第１の出力電圧）を制御する。
これにより、本実施形態における給電管理方法は、上述した電源システム１と同様に、太陽光発電装置５が発電した電力を有効に利用することができる。
【００９７】
次に、本発明に係る第２の実施形態による電源システムについて図面を参照して説明する。
［第２の実施形態］
上述した第１の実施形態では、入力部７２から入力されて予め記憶部７４に記憶されている気象情報（例えば、過去の天候、日射強度など）に基づいて、直流電源装置３の出力電圧（第１の出力電圧）を設定する一例について説明したが、太陽光発電装置５が設置されている気象情報が、入力部７２から入力された気象情報とずれている場合が考えられる。そこで、本実施形態では、日射強度を測定し、測定データに基づいて直流電源装置３の出力電圧（第１の出力電圧）として設定された電圧値（第１電圧値）を補正する場合の一例について説明する。
【００９８】
図１２は、本実施形態による電源システム１ａの一例を示すブロック図である。
この図において、電源システム１ａは、直流電源装置３、太陽光発電装置５、蓄電装置６、給電管理装置７ａ、測定器９１〜９４、及び日射計９５を備えている。
なお、この図において、図１に示す構成と同一の構成については同一の符号を付し、その説明を省略する。本実施形態では、電源システム１ａは、日射計９５を備え、給電管理装置７ａが、日射計９５で測定した測定データに基づいて、直流電源装置３の出力電圧（第１の出力電圧）として設定された電圧値（第１電圧値）を補正する点が第１の実施形態と異なる。
【００９９】
日射計９５（日射測定部の一例）は、例えば、太陽光発電装置５が設置されている場所の日射強度を測定し、当該測定データを給電管理装置７ａに出力する。
【０１００】
給電管理装置７ａは、電源システム１ａが備える各部を管理する管理装置であり、例えば、少なくとも第１の出力電圧を制御する。
給電管理装置７ａは、測定データ取得部７１ａ、入力部７２、表示部７３、記憶部７４、及び制御部８０ａを備えている。
【０１０１】
測定データ取得部７１ａは、測定器９１〜９４、及び日射計９５が測定した上述した各種測定データを取得し、取得した各種測定データを制御部８０ａに出力し、制御部８０ａを介して、取得した各種測定データを記憶部７４に記憶させる。
【０１０２】
制御部８０ａは、例えば、ＣＰＵなどを含むプロセッサであり、給電管理装置７ａを統括的に制御する。制御部８０ａは、電圧制御部８１ａと、電圧算出部８２ａとを備えている。
電圧制御部８１ａは、図１に示す第１の実施形態における電圧制御部８１と同様の機能を備えるとともに、日射計９５が測定した日射強度と、予め取得している最大日射強度と、測定器９４が測定した蓄電装置６の出力電圧とに基づいて、直流電源装置３の出力電圧（第１の出力電圧）として出力する電圧を変更する。ここで、予め取得している最大日射強度は、直流電源装置３の出力電圧（第１の出力電圧）の設定電圧値（第１電圧値）を定める際に用いた日射強度であり、設定電圧値（第１電圧値）を定める際に推定した（想定した）日射強度である。
【０１０３】
具体的に、電圧制御部８１ａは、日射計９５が測定した日射強度が上述の最大日射強度以上であり、且つ、蓄電装置６の出力電圧が太陽光発電装置５の出力電圧（第２の出力電圧）よりも低い場合に、直流電源装置３の出力電圧（第１の出力電圧）として出力する電圧を高くする制御を行う。ここでは、設定された設定電圧値（第１電圧値）が適正な電圧値よりも低いため、蓄電装置６の放電深度が最大余剰発電量よりも大きくなっていることを示している。この状態は、蓄電装置６が最大余剰発電量によって完全充電されないことを意味している。そこで、このような場合に、電圧制御部８１ａは、設定電圧値（第１電圧値）を高くする補正を行う。
【０１０４】
また、電圧制御部８１ａは、日射計９５が測定した日射強度が上述した最大日射強度以上であり、且つ、蓄電装置６の出力電圧が第２の出力電圧まで上昇する状態、もしくは、この電圧によって所定の時間、定電圧充電されるような状態となる日数が、所定の回数に達した際に、第１の出力電圧として出力する電圧を低くする制御を行う。すなわち、上記の状態は、想定した最大余剰発電量よりも蓄電装置６の放電深度が浅いことを意味している。言い換えれば、推定した最大日射強度以上となる日が観測され、蓄電装置６の電圧値が、上述のような状態になっていれば、設定された設定電圧値（第１電圧値）が適正な電圧値よりも高く、太陽光発電装置５の発電電力を十分に利用できていないことになる。つまり、予め設定されている蓄電装置６の放電深度が、最大余剰発電量よりも小さいために、余剰発電量が生じる時間帯の途中で、完全充電状態に達し、いわゆる定電圧充電状態になる。このため、適切な充電量であれば、図１０に示すように、本来、余剰発電量の発生期間が終了する時刻Ｔ１４近辺で定電圧に到達するのに対し、上述の状態では、途中のＴ１３近辺で、定電圧に達することになる。そこで、このような場合、放電深度を深くするために、電圧制御部８１ａは、設定電圧値（第１電圧値）を低くする補正を行う。
【０１０５】
次に、図１３を参照して本実施形態における直流電源装置３の出力電圧の設定手順について説明する。
図１３は、本実施形態による電源システム１ａにおける直流電源装置３の出力電圧の設定手順を示すフローチャートである。
ここでは、図８に示す第１の実施形態と同様に、所定の期間ごと（例えば、１ヶ月ごと）に、直流電源装置３の出力電圧を設定し直す場合の一例について説明する。
【０１０６】
図１３において、ステップＳ２０１からステップＳ２０４までの処理は、図８に示すステップＳ１０１からステップＳ１０４までの処理と同様であるので、ここではその説明を省略する。
続く、ステップＳ２０５において、電圧制御部８１ａは、日射計９５及び測定器９４が測定した測定データを取得する。すなわち、電圧制御部８１ａは、例えば、日射計９５によって測定された日射強度情報（例えば、直近１日分の日射強度情報）、及び測定器９４によって測定された蓄電装置６の出力電圧（例えば、１日のうちの最大電圧）を記憶部７４から取得する。
【０１０７】
次に、電圧制御部８１ａは、測定した日射強度が推定した日射強度以上であるか否かを判定する（ステップＳ２０６）。すなわち、電圧制御部８１ａは、ステップＳ２０５において取得した日射強度が、推定していた日射強度（例えば、月ごとの最大日射強度）以上であるか否かを判定する。電圧制御部８１ａは、測定した日射強度が推定した日射強度以上である場合（ステップＳ２０６：ＹＥＳ）に、処理をステップＳ２０７に進める。また、電圧制御部８１ａは、測定した日射強度が推定した日射強度未満である場合（ステップＳ２０６：ＮＯ）に、処理をステップＳ２１１に進める。
【０１０８】
また、ステップＳ２０７において、電圧制御部８１ａは、蓄電装置６の出力電圧が、太陽光発電装置５の出力電圧（第２の出力電圧）以上であるか否かを判定する。すなわち、電圧制御部８１ａは、ステップＳ２０５において取得した蓄電装置６の出力電圧が、設定している太陽光発電装置５の出力電圧以上であるか否かを判定する。具体的には、電圧制御部８１ａは、蓄電装置６の電圧を監視し、太陽光発電装置５の出力電圧（第２の出力電圧）と比較する。電圧制御部８１ａは、この比較により、蓄電装置６の電圧が、余剰発電量の受け入れの途中で、太陽光発電装置５の出力電圧に到達し、この電圧で定電圧充電となりこの状態が所定時間（余剰発電量の発生時間帯の半分、等）経過するか否かにより判定する。すなわち、電圧制御部８１ａは、定電圧充電の状態が所定の時間の経過が観測されるようであれば、ここで言う、「太陽光発電装置５の出力電圧以上である場合」に相当する、と判定する。そして、電圧制御部８１ａは、蓄電装置６の出力電圧が、太陽光発電装置５の出力電圧以上である場合（ステップＳ２０７：ＹＥＳ）に、処理をステップＳ２０９に進める。また、電圧制御部８１ａは、蓄電装置６の出力電圧が、太陽光発電装置５の出力電圧未満である場合（ステップＳ２０７：ＮＯ）に、処理をステップＳ２０８に進める。
【０１０９】
ステップＳ２０８において、電圧制御部８１ａは、設定電圧値（第１電圧値）を上昇させる。すなわち、電圧制御部８１ａは、設定電圧値（第１電圧値）を上昇させる補正（変更）を行い、補正（変更）した設定電圧値（第１電圧値）を直流電源装置３の出力電圧（第１の出力電圧）として出力するように、直流電源装置３に対して制御信号を出力する。なお、電圧制御部８１ａは、設定電圧値（第１電圧値）を予め定められた所定の電圧値だけ上昇させてもよい。ステップＳ２０８の処理の後、電圧制御部８１ａは、処理をステップＳ２１１に進める。
【０１１０】
ステップＳ２０９において、電圧制御部８１ａは、蓄電装置６の出力電圧が、太陽光発電装置５の出力電圧（第２の出力電圧）以上の日数が所定の日数以上であるか否かを判定する。すなわち、電圧制御部８１ａは、蓄電装置６の出力電圧が、太陽光発電装置５の出力電圧（第２の出力電圧）に等しくなり、この電圧によって定電圧充電状態となり所定時間経過する日数が所定数であるか否かを判定する。つまり、電圧制御部８１ａは、太陽光発電装置５の出力電圧（第２の出力電圧）による定電圧充電によって蓄電装置６の完全充電が所定の時間維持されるような状態となる日数が、所定の日数（例えば、３日）以上あるか否かを判定する。電圧制御部８１ａは、蓄電装置６の出力電圧が、太陽光発電装置５の出力電圧と等しくなり、この電圧による定電圧充電が所定時間継続する状態となる日数が所定数以上である場合（ステップＳ２０９：ＹＥＳ）に、処理をステップＳ２１０に進める。また、逆に、電圧制御部８１ａは、蓄電装置６が、太陽光発電装置５の出力電圧による定電圧充電となる日数が所定数未満である場合（ステップＳ２０９：ＮＯ）に、処理をステップＳ２１０に進める。
【０１１１】
ステップＳ２１０において、電圧制御部８１ａは、設定電圧値（第１電圧値）を低下させる。すなわち、電圧制御部８１ａは、設定電圧値（第１電圧値）を低下させる補正（変更）を行い、補正（変更）した設定電圧値（第１電圧値）を直流電源装置３の出力電圧（第１の出力電圧）として出力するように、直流電源装置３に対して制御信号を出力する。なお、電圧制御部８１ａは、設定電圧値（第１電圧値）を予め定められた所定の電圧値だけ低下させてもよい。ステップＳ２１０の処理の後、電圧制御部８１ａは、処理をステップＳ２１１に進める。
【０１１２】
なお、ステップＳ２１１の処理は、図８に示すステップＳ１０５の処理と同様であり、ここではその説明を省略する。
このように、給電管理装置７ａは、所定の期間ごと（例えば、１ヶ月ごと）に、日射強度情報に基づいて直流電源装置３の出力電圧である設定電圧値を定めるとともに、日射計９５によって計測した日射強度情報に基づいて設定電圧値を適切に変更する。
【０１１３】
以上説明したように、本実施形態における電源システム１ａは、太陽光発電装置５が設置された場所の日射強度を測定する日射計９５（日射測定部）と、蓄電装置６の出力電圧を測定する測定器９４（蓄電電圧測定部）とを備えている。給電管理装置７ａの電圧制御部８１ａは、日射計９５が測定した日射強度と、推定した最大日射強度と、測定器９４が測定した蓄電装置６の出力電圧とに基づいて、直流電源装置３の出力電圧（第１の出力電圧）として出力する電圧を変更する。
これにより、本実施形態における電源システム１ａは、例えば、直流電源装置３の出力電圧（第１の出力電圧）の設定の際に推定した最大日射強度と、実際の太陽光発電装置５が設置された場所の日射強度とに乖離がある場合でも、直流電源装置３の出力電圧（第１の出力電圧）を適切に制御することができる。また、負荷４の消費量（例えば、消費電流）が変動して、余剰発電量に変動が生じた場合であっても、本実施形態における電源システム１ａは、直流電源装置３の出力電圧（第１の出力電圧）を適切に制御することができる。
【０１１４】
また、本実施形態では、電圧制御部８１ａは、日射計９５が測定した日射強度が最大日射強度以上であり、且つ、蓄電装置６の出力電圧が第２の出力電圧よりも低い場合に、直流電源装置３の出力電圧（第１の出力電圧）として出力する電圧を高くする制御を行う。
これにより、本実施形態における電源システム１ａは、直流電源装置３の出力電圧（第１の出力電圧）を適切に変更して、蓄電装置６をバックアップ電源とした際の電力の供給期間を長くさせることができる。
【０１１５】
また、本実施形態では、電圧制御部８１ａは、日射計９５が測定した日射強度が最大日射強度以上であり、且つ、太陽光発電装置５の出力電圧（第２の出力電圧）による定電圧充電によって蓄電装置６の完全充電が所定の時間維持されるような状態となる日数が、所定の回数（所定数）に達した際に、直流電源装置３の出力電圧（第１の出力電圧）として出力する電圧を低くする制御を行う。すなわち、本実施形態では、電圧制御部８１ａは、日射計９５が測定した日射強度が最大日射強度以上であり、且つ、蓄電装置６の出力電圧が第２の出力電圧と等しくなり、この電圧によって所定の時間、定電圧充電されるような場合の日数が、所定数に達した際、直流電源装置３の出力電圧（第１の出力電圧）として出力する電圧を低くする制御を行う。
これにより、本実施形態における電源システム１ａは、直流電源装置３の出力電圧（第１の出力電圧）を適切に変更して、太陽光発電装置５の発電電力の利用率を向上させることができる。
【０１１６】
次に、本発明に係る第３の実施形態による電源システムについて図面を参照して説明する。
［第３の実施形態］
本実施形態では、直流電源装置３の出力電圧（第１の出力電圧）を１日の中で所定の期間、太陽光発電装置５の出力電圧（第２の出力電圧）より低下させる制御を行う場合の一例について説明する。
【０１１７】
図１４は、本実施形態による電源システム１ｂの一例を示すブロック図である。
この図において、電源システム１ｂは、直流電源装置３、太陽光発電装置５、蓄電装置６、給電管理装置７ｂ、及び測定器９１〜９４を備えている。太陽光発電装置５は、１日のうちの所定の期間（第１の期間）に発電する。
なお、この図において、図１に示す構成と同一の構成については同一の符号を付し、その説明を省略する。本実施形態では、電源システム１ｂは、給電管理装置７ｂが、直流電源装置３の出力電圧（第１の出力電圧）を変更する期間、及び設定電圧値（第１電圧値）を算出する電圧・期間算出部８３と、電圧・期間算出部８３が算出した期間、太陽光発電装置５の出力電圧（第２の出力電圧）より低下させる制御を行う電圧制御部８１ｂとを備える点が第１の実施形態と異なる。
【０１１８】
給電管理装置７ｂは、電源システム１ｂが備える各部を管理する管理装置であり、例えば、少なくとも第１の出力電圧を所定の期間（第２の期間）低下させる制御を行う。
給電管理装置７ｂは、測定データ取得部７１、入力部７２、表示部７３、記憶部７４、及び制御部８０ｂを備えている。
【０１１９】
制御部８０ｂは、例えば、ＣＰＵなどを含むプロセッサであり、給電管理装置７ｂを統括的に制御する。制御部８０ｂは、電圧制御部８１ｂと、電圧・期間算出部８３とを備えている。
電圧制御部８１ｂは、少なくとも第１の期間の一部期間を含む第２の期間に対して、直流電源装置３の出力電圧（第１の出力電圧）を、太陽光発電装置５の出力電圧（第２の出力電圧）より低い電圧に制御する。ここで、第１の期間は、１日のうちの太陽光発電装置５が発電する期間である。電圧制御部８１ｂは、例えば、第２の期間における蓄電装置６の放電量と、第２の期間における太陽光発電装置５の余剰発電量とが等しくなるように、第２の期間及び直流電源装置３の出力電圧（第１の出力電圧）を制御する。さらに、電圧制御部８１ｂは、太陽光発電装置５が発電する第１の期間の前に、推定される余剰発電量と等しい放電量を蓄電装置６に放電させるように、蓄電装置６の放電を開始させる第２の期間の開始時刻を制御するとともに、第１の期間において余剰発電量が蓄電装置６に充電され、放電量が蓄電装置６に充電されるように、第２の期間の終了時刻を制御する。具体的に、電圧制御部８１ｂは、後述する電圧・期間算出部８３が算出した設定電圧値（第１電圧値）及び第２の期間により、直流電源装置３の出力電圧を制御する制御信号を直流電源装置３に対して出力する。
【０１２０】
また、電圧制御部８１ｂは、蓄電装置６が特性変化した場合に、蓄電装置６の放電特性に応じて設定電圧値（第１電圧値）を補正し、補正した設定電圧値（第１電圧値）に直流電源装置３の出力電圧（第１の出力電圧）を制御する。電圧制御部８１ｂは、例えば、蓄電装置６が特性変化して、充電可能な電気量が低下した場合に、放電特性に応じて、設定電圧値（第１電圧値）を低下させる制御を行う。なお、この補正した設定電圧値（第１電圧値）は、電圧・期間算出部８３によって算出されてもよい。
【０１２１】
電圧・期間算出部８３（電圧設定部の一例）は、上述した直流電源装置３の出力電圧（第１の出力電圧）の設定電圧と、第２の期間を算出する。電圧・期間算出部８３は、太陽光発電装置５の発電量と、負荷４の消費量（消費分）とに基づいて、太陽光発電装置５の余剰発電量を算出し、算出した余剰発電量に応じて、電圧制御部８１ｂによって制御される直流電源装置３の出力電圧として出力する設定電圧値（第１電圧値）を算出する。なお、電圧・期間算出部８３による直流電源装置３の出力電圧として出力する設定電圧値（第１電圧値）の算出（設定）処理は、第１及び第２の実施形態と同様である。
また、電圧・期間算出部８３は、上述した第２の期間における蓄電装置６の放電量と、第２の期間における太陽光発電装置５の余剰発電量とが等しくなるように、第２の期間を算出（設定）する。この直流電源装置３の出力電圧の低下期間（第２の期間）の設定処理の詳細については後述する。
【０１２２】
次に、本実施形態における直流電源装置３の出力電圧の低下期間（第２の期間）の設定処理について、図１５及び図１６を参照して説明する。
【０１２３】
＜直流電源装置３の出力電圧の低下期間（第２の期間）の設定処理＞
図１５は、本実施形態による電源システム１ｂの直流電源装置３の出力電圧の低下期間の概要を説明する説明図である。
この図に示すグラフにおいて、縦軸は、太陽光発電装置５が発電する電流（Ａ）を示し、横軸は、１日における時刻を示している。
このグラフにおいて、波形Ｗ１４は、太陽光発電装置５の最大日射強度における発電特性を示している。また、領域Ａ１は、負荷４の消費電流Ｉｌｏａｄを超える余剰な発電電流である太陽光発電装置５の余剰発電分を示している。また、領域Ａ４は、太陽光発電装置５から負荷４に供給する電気量を示している。また、領域Ｄ２は、蓄電装置６から負荷４に供給する電気量（放電量）を示している。
【０１２４】
また、この図において、期間ＴＲ２０は、直流電源装置３の出力電圧の低下期間（第２の期間）を示しており、時刻ＴＳＴは、この第２の期間ＴＲ２０の開始時刻を示し、時刻ＴＥＮは、この第２の期間ＴＲ２０の終了時刻を示している。
電圧・期間算出部８３は、例えば、第２の期間ＴＲ２０の終了時刻（時刻ＴＥＮ）を、太陽光発電装置５の最大日射強度の発電特性において、発電量が低下して発電電流と負荷４の消費電流Ｉｌｏａｄとが一致する時刻に設定する。さらに、電圧・期間算出部８３は、上述した太陽光発電装置５の余剰発電分（領域Ａ１）と、蓄電装置６から負荷４に供給する放電量（領域Ｄ２）とが等しくなるように、第２の期間ＴＲ２０の開始時刻（時刻ＴＳＴ）を算出（設定）する。
【０１２５】
図１６は、本実施形態による電源システムの直流電源装置の出力電圧の低下期間の設定処理の一例を示すタイムチャートである。なお、この図は、日射強度が最大となり、余剰発電量の最大値が生じている場合の例である。
この図において、縦軸は、（ａ）負荷４への供給電流（電流（Ａ））、及び、太陽光発電装置５の発電及び蓄電装置６の充放電の電気量（Ａｈ）と、（ｂ）直流電源装置３の出力電圧（Ｖ）とを示している。また、横軸は、１日における時刻を示している。
ここで、波形Ｗ１５は、太陽光発電装置５の最大日射強度における発電特性を示し、波形Ｗ１６は、太陽光発電装置５の余剰発電量の累積値（電気量）を示している。また、領域Ａ１及び領域Ｄ２は、図１５と同様である。
【０１２６】
電圧・期間算出部８３は、波形Ｗ１５の発電特性から発電量が低下して発電電流と負荷４の消費電流Ｉｌｏａｄとが一致する時刻Ｔ２５（１６時）を第２の期間ＴＲ２０の終了時刻（時刻ＴＥＮ）として設定する。また、電圧・期間算出部８３は、時刻Ｔ２４（９時）から時刻Ｔ２５（１６時）までの余剰発電量が発生する期間において、蓄電装置６の充電に利用可能な太陽光発電装置５の電気量（余剰発電量）の累積値を波形Ｗ１６のポイントＰ９に示すように算出する。図１６に示す例では、電圧・期間算出部８３は、蓄電装置６の充電に利用可能な余剰発電量“５０Ａｈ”を算出する。
【０１２７】
次に、電圧・期間算出部８３は、発電量が上昇して発電電流と負荷４の消費電流Ｉｌｏａｄとが一致する時刻Ｔ２４（９時）において、上述した余剰発電量“５０Ａｈ”を蓄電装置６に充電可能なように、第２の期間ＴＲ２０の開始時刻（時刻ＴＳＴ）を算出する。具体的に、電圧・期間算出部８３は、時刻Ｔ２４（９時）において、上述した余剰発電量“５０Ａｈ”に対応する放電量（ポイントＰ１０）になるような放電及び充電の波形Ｗ１７に基づいて、第２の期間ＴＲ２０の開始時刻（時刻ＴＳＴ）を算出する。ここで、上述のポイントＰ１０における放電量は、領域Ｄ２における累積値である。
なお、ここでは、波形Ｗ１７は、余剰発電量と放電量とが等しい場合の充放電特性を示し、波形Ｗ１８は、放電量が余剰発電量（充電量）より少ない場合の充放電特性を示し、波形Ｗ１９は、放電量が余剰発電量（充電量）より大きい場合の充放電特性を示している。
【０１２８】
図１６に示す例では、電圧・期間算出部８３は、余剰発電量“５０Ａｈ”と放電量（ポイントＰ１０）が等しくなるような波形Ｗ１７に基づき、時刻Ｔ２２（３時）を開始時刻（時刻ＴＳＴ）として算出する。この場合、電圧制御部８１ｂは、図１６（ｂ）に示す波形Ｗ２０のように、直流電源装置３の出力電圧を制御する。
なお、図１６（ｂ）において、電圧Ｖｒｆは、太陽光発電装置５の出力電圧に等しい電圧値であるフロート電圧を示し、例えば、図４におけるポイントＰ４の値である。そして、電圧（Ｖｒｆ−ｄ１）は、最大日射強度における太陽光発電装置５の余剰発電量が、蓄電装置６の充電によって全て回収可能となるような放電深度に対応する電圧値（第１電圧値）である。この例では、電圧制御部８１ｂは、第２の期間ＴＲ２０、蓄電装置６が余剰発電量と等しい放電量を放電した場合の放電深度（第１の放電深度）に対応する電圧（Ｖｒｆ−ｄ１）（第１電圧値）に、直流電源装置３の出力電圧を制御する。すなわち、電圧制御部８１ｂは、第２の期間ＴＲ２０、蓄電装置６の放電深度（第１の放電深度）が余剰発電量と等しい放電量となるような電圧（Ｖｒｆ−ｄ１）（第１電圧値）に、直流電源装置３の出力電圧を制御する。
【０１２９】
また、例えば、上述の時刻Ｔ２２（３時）から時刻Ｔ２５（１６時）までの期間を第２の期間ＴＲ２０とした場合には、波形Ｗ１７に示すように、放電分は余剰発電量を１００％利用した充電によって回復されることになる。一方、例えば、開始時刻を時刻Ｔ２３（４時）に設定した場合には、波形Ｗ１８に示すように、余剰発電量を一部無駄にすることになる。この場合、余剰発電量の累積値は、波形Ｗ２１のように変化し、充電に利用される電気量は、ポイントＰ９よりも少ない値となる。すなわち、余剰発電量に未利用分が生じることを表している。また、例えば、開始時刻を時刻Ｔ２１（２時）に設定した場合には、波形Ｗ１９に示すように、放電量の累積値が余剰発電量を上回り、余剰発電量を１００％利用しても完全には回復できないことになる。
【０１３０】
次に、本実施形態における電源システム１ｂの動作について図面を参照して説明する。
図１７は、本実施形態による電源システム１ｂにおける直流電源装置３の出力電圧の制御の一例を示すフローチャートである。
ここでは、所定の期間ごと（例えば、１ヶ月ごと）に、直流電源装置３の出力電圧を設定し直す場合の一例について説明する。
【０１３１】
図１７において、ステップＳ３０１からステップＳ３０２までの処理は、図８に示すステップＳ１０１からステップＳ１０２までの処理と同様であるので、ここではその説明を省略する。なお、ステップＳ３０１からステップＳ３０２までの処理は、給電管理装置７ｂの電圧・期間算出部８３によって実行される。
【０１３２】
続く、ステップＳ３０３において、電圧・期間算出部８３は、余剰発電量と等しい放電量になるように、第２の期間ＴＲ２０（開始時刻及び終了時刻）、及び直流電源装置３の設定電圧値（第１電圧値）を算出する。電圧・期間算出部８３は、例えば、上述の図１５及び図１６において説明したように、第２の期間ＴＲ２０（開始時刻及び終了時刻）、及び直流電源装置３の設定電圧値（第１電圧値）を定める。
【０１３３】
次に、給電管理装置７ｂの電圧制御部８１ｂは、直流電源装置３の出力電圧を、フロート電圧（Ｖｒｆ）に設定する（ステップＳ３０４）。具体的に、電圧制御部８１ｂは、直流電源装置３の出力電圧をフロート電圧にする制御信号を直流電源装置３に出力して、直流電源装置３の出力電圧を設定する。なお、フロート電圧値は、蓄電装置６を完全充電状態にする電圧値である。
【０１３４】
次に、電圧制御部８１ｂは、開始時刻になったか否かを判定する（ステップＳ３０５）。すなわち、電圧制御部８１ｂは、電圧・期間算出部８３が算出した開始時刻になったか否かを判定する。電圧制御部８１ｂは、開始時刻になった場合（ステップＳ３０５：ＹＥＳ）に、処理をステップＳ３０６に進め、開始時刻になっていない場合（ステップＳ３０５：ＮＯ）に、ステップＳ３０５の処理を繰り返す。
【０１３５】
ステップＳ３０６において、電圧制御部８１ｂは、直流電源装置３の出力電圧を算出した設定電圧値（第１電圧値）に変更する。具体的に、電圧制御部８１ｂは、電圧・期間算出部８３によって設定された設定電圧値に、直流電源装置３の出力電圧を変更させる制御信号を直流電源装置３に出力して、直流電源装置３の出力電圧を変更する。
【０１３６】
次に、電圧制御部８１ｂは、終了時刻になったか否かを判定する（ステップＳ３０７）。すなわち、電圧制御部８１ｂは、電圧・期間算出部８３が算出した終了時刻になったか否かを判定する。電圧制御部８１ｂは、終了時刻になった場合（ステップＳ３０７：ＹＥＳ）に、処理をステップＳ３０８に進め、終了時刻になっていない場合（ステップＳ３０７：ＮＯ）に、ステップＳ３０７の処理を繰り返す。
【０１３７】
ステップＳ３０８において、給電管理装置７ｂの電圧制御部８１ｂは、直流電源装置３の出力電圧を、フロート電圧（Ｖｒｆ）に設定する。具体的に、電圧制御部８１ｂは、直流電源装置３の出力電圧をフロート電圧にする制御信号を直流電源装置３に出力して、直流電源装置３の出力電圧を設定する。なお、フロート電圧値は、前述した、蓄電装置６を完全充電状態にする電圧値である。
【０１３８】
次に、電圧制御部８１ｂは、所定の期間が経過したが否か（見直し時期か否か）を判定する（ステップＳ３０９）。電圧制御部８１ｂは、例えば、１ヶ月経過したか否かを判定する。電圧制御部８１ｂは、所定の期間が経過した場合（ステップＳ３０９：ＹＥＳ）に、処理をステップＳ３０１に戻し、電圧・期間算出部８３は、次の所定の期間（例えば、次の月）の日射強度情報を取得する。
また、電圧制御部８１ｂは、所定の期間が経過していない場合（ステップＳ３０９：ＮＯ）に、処理をステップＳ３０５に戻す。
【０１３９】
このように、給電管理装置７ｂが、直流電源装置３の出力電圧を制御することにより、直流電源装置３の出力電圧は、図１６の波形Ｗ２０の示すように変化し、蓄電装置６は、波形Ｗ１７の示すように充放電される。なお、図１６に示す例は、日射強度が最大である場合の動作を示しており、次に、日射強度が平均日射強度よりも低く、余剰発電量を生じない場合の動作について説明する。
【０１４０】
図１８は、本実施形態による電源システム１ｂの動作の一例を示す第１のタイムチャートである。ここでは、日射強度が平均日射強度よりも低く、余剰発電量を生じない場合の動作について説明する。
図１８において、縦軸は、（ａ）負荷４への供給電流（電流（Ａ））、及び、蓄電装置６の充放電の電気量（Ａｈ）と、（ｂ）直流電源装置３の出力電圧（Ｖ）とを示している。また、横軸は、１日における時刻を示している。
ここで、波形Ｗ２２は、太陽光発電装置５の日射強度が平均日射強度よりも低い日射強度における発電特性を示し、波形Ｗ２３は、蓄電装置６の充放電量の変化を示している。また、領域Ｒ２１及び領域Ｒ２２は、負荷４への供給電流のうちの直流電源装置３の供給分を示し、領域Ｄ２１は、蓄電装置６の供給分を示している。また、領域Ａ２１は、太陽光発電装置５の供給分を示している。なお、ポイントＰ１０、第２の期間ＴＲ２０（開始時刻ＴＳＴ及び終了時刻ＴＥＮ）、負荷４の消費電流Ｉｌｏａｄ、設定電圧値（Ｖｒｆ−ｄ１）（第１電圧値）及び波形Ｗ２０は、図１６と同様である。
【０１４１】
なお、波形Ｗ２３において、第２の期間ＴＲ２０の開始時刻ＴＳＴから時刻Ｔ２６までの期間、蓄電装置６が放電され、時刻Ｔ２６から第２の期間ＴＲ２０の終了時刻ＴＥＮまでの期間、蓄電装置６の充放電が休止され、終了時刻ＴＥＮ以降に、蓄電装置６が充電される。また、波形Ｗ２３において、太陽光発電装置５の発電量が図１６に示す場合より少ないため、図１６に示すポイントＰ１０よりも早い時刻Ｔ２６で電圧・期間算出部８３が最大余剰発電量に基づいて算出した放電量に達することを示している。
この図１８に示す例では、太陽光発電装置５の余剰発電量が生じないため、太陽光発電装置５の発電が開始されても蓄電装置６は放電される。しかしながら、本実施形態では、給電管理装置７ｂが直流電源装置３の出力電圧を設定電圧値（Ｖｒｆ−ｄ１）（第１電圧値）に制御しているために、時刻Ｔ２６において、ポイントＰ１０に対応する放電深度で蓄電装置６の放電が停止する。なお、波形Ｗ２４は、参考として、本実施形態のように直流電源装置３の出力電圧を設定電圧値（Ｖｒｆ−ｄ１）（第１電圧値）に制御せずに、直流電源装置３の出力を停止した場合の放電特性を示している。
【０１４２】
また、時刻ＴＥＮにおいて、給電管理装置７ｂが、直流電源装置３の出力電圧をフロート電圧（Ｖｒｆ）に復帰させることにより、蓄電装置６は、直流電源装置３から供給される電力により充電される。
このように、本実施形態における電源システム１ｂでは、太陽光発電装置５の余剰発電量が生じない場合であっても、蓄電装置６の最大放電深度は、余剰発電量と等しい値に抑えられ、過放電状態になることがない。
【０１４３】
次に、蓄電装置６が特性変化した場合に、蓄電装置６の放電特性に応じて設定電圧値（第１電圧値）を補正する動作の一例について説明する。
図１９は、本実施形態による電源システムの動作の一例を示す第２のタイムチャートである。ここでは、蓄電装置６が特性変化している場合の動作を、日射強度が平均日射強度よりも低く、余剰発電量を生じない場合を例にして説明する。
【０１４４】
図１９において、縦軸は、（ａ）負荷４への供給電流（電流（Ａ））、及び、蓄電装置６の充放電の電気量（Ａｈ）と、（ｂ）蓄電装置６の放電特性（電圧（Ｖ／セル））と、（ｃ）直流電源装置３の出力電圧（Ｖ）とを示している。また、横軸は、１日における時刻を示している。
ここで、波形Ｗ２５は、蓄電装置６の特性変化前の放電特性を示し、波形Ｗ２６は、蓄電装置６の特性変化後の放電特性を示している。波形Ｗ２５及び波形Ｗ２６のいずれも、負荷４と同じ電流における放電特性である。また、波形Ｗ２７は、補正後の直流電源装置３の出力電圧の波形を示している。なお、波形Ｗ２２〜波形Ｗ２４、領域Ｒ２１、領域Ｒ２２、領域Ｄ２１、領域Ａ２１、ポイントＰ１０、第２の期間ＴＲ２０（開始時刻ＴＳＴ及び終了時刻ＴＥＮ）、負荷４の消費電流Ｉｌｏａｄ、及び波形Ｗ２０は、図１８と同様である。
【０１４５】
この図１９の波形Ｗ２６に示すように、蓄電装置６が特性変化した場合に、蓄電装置６の電圧は、放電により特性変化前の放電特性（波形Ｗ２５）よりも早く低下する。例えば、蓄電装置６の電圧が本来の設定電圧値（Ｖｒｆ−ｄ１）（第１電圧値）に達する時刻は、波形Ｗ２５では、ポイントＰ１１の時刻Ｔ２６に対して、波形Ｗ２６では、ポイントＰ１２の時刻Ｔ２７となる。そのため、時刻Ｔ２７におけるポイントＰ１３に示すように、蓄電装置６からは、十分な放電量が得られない。これは、蓄電装置６の特性が変化すると、太陽光発電装置５の余剰発電量の受け入れ率が１００％以下になることを示している。
そこで、本実施形態では、電圧制御部８１ｂは、放電量がポイントＰ１４の放電深度に対応する波形Ｗ２６におけるポイントＰ１５の設定電圧値（Ｖｒｆ−ｄ１−ｒ）（第１電圧値）に直流電源装置３の出力電圧を補正する。すなわち、電圧制御部８１ｂは、直流電源装置３の出力電圧を波形Ｗ２７のように制御する。
ここで、予め蓄電装置６の特性変化（劣化状況）が判明している場合、上述したように、劣化した場合の特性に応じた電圧が選定される。一方、電圧制御部８１ｂは、蓄電装置６の放電中に放電量を測定器９４により計測し、所定の放電量に至った時点で、直流電源装置３の出力電圧値をその時点での電圧値に設定することも可能である。
【０１４６】
このように、本実施形態における電源システム１ｂは、蓄電装置６に特性変化が生じた場合であっても、蓄電装置６からの放電量を特性変化前と同様に確保することができる。
【０１４７】
なお、上述した実施形態では、電圧制御部８１ｂが、最大日射強度における余剰発電量と等しい放電量を放電した場合の放電深度（第１の放電深度）に対応する設定電圧値（Ｖｒｆ−ｄ１）（第１電圧値）に、直流電源装置３の出力電圧を制御する場合を説明したが、さらに低い電圧にしてもよい。ここでは、図２０を参照して、上述した設定電圧値（Ｖｒｆ−ｄ１）（第１電圧値）よりも低い電圧に、直流電源装置３の出力電圧を制御する場合について説明する。
【０１４８】
図２０は、本実施形態による電源システム１ｂの変形例の動作の一例を示すタイムチャートである。ここでは、電圧制御部８１ｂが、図１７に示す設定電圧値（Ｖｒｆ−ｄ１）（第１電圧値）以下の電圧値であって、蓄電装置６が過放電となる放電深度に対応する電圧よりも高い設定電圧値（Ｖｒｆ−ｄ２）（第３電圧値）に直流電源装置３の出力電圧を制御する。
【０１４９】
図２０において、縦軸は、（ａ）負荷４への供給電流（電流（Ａ））、及び、蓄電装置６の充放電の電気量（Ａｈ）と、（ｂ）直流電源装置３の出力電圧（Ｖ）とを示している。また、横軸は、１日における時刻を示している。
ここで、波形Ｗ２８は、蓄電装置６の充放電量の変化を示している。また、波形Ｗ２９は、設定電圧値（Ｖｒｆ−ｄ２）（第３電圧値）にした場合の直流電源装置３の出力電圧を示している。その他は、図１８と同様である。
【０１５０】
図２０に示す例では、電圧制御部８１ｂは、波形Ｗ２９に示すように、設定電圧値（Ｖｒｆ−ｄ１）（第１電圧値）以下の電圧である設定電圧値（Ｖｒｆ−ｄ２）（第３電圧値）に、直流電源装置３の出力電圧を制御する。ここで、設定電圧値（Ｖｒｆ−ｄ２）（第３電圧値）は、蓄電装置６が過放電となる放電深度に対応する電圧よりも高い電圧である。すなわち、設定電圧値（Ｖｒｆ−ｄ２）（第３電圧値）は、蓄電装置６が過放電にならないように設定された電圧である。
この場合、波形Ｗ２８に示すように、蓄電装置６は、設定電圧値（Ｖｒｆ−ｄ２）（第３電圧値）まで蓄電装置６の出力電圧が低下する時刻Ｔ２８まで放電し、設定電圧値（Ｖｒｆ−ｄ２）（第３電圧値）で放電が停止する。これにより、電源システム１ｂは、蓄電装置６が過放電状態になることを防止することができる。
なお、本実施形態では、蓄電装置６からの放電深度が、最大余剰発電量を超えるが、時刻ＴＥＮを深夜時間帯に設定することで、蓄電装置６の充電を深夜電力料金の時間帯で行うことができる。
【０１５１】
以上説明したように、本実施形態における電源システム１ｂでは、太陽光発電装置５は、１日のうちの第１の期間（例えば、昼間の期間）に発電する。電圧制御部８１ｂは、少なくとも第１の期間の一部期間を含む第２の期間ＴＲ２０に対して、直流電源装置３の出力電圧（第１の出力電圧）を、太陽光発電装置５の出力電圧（第２の出力電圧）より低い電圧に制御する。
これにより、本実施形態における電源システム１ｂは、第２の期間ＴＲ２０のうちの太陽光発電装置５が発電していない期間において、蓄電装置６を放電させて負荷４に電力を供給する。そして、本実施形態における電源システム１ｂは、第２の期間ＴＲ２０のうちの太陽光発電装置５が発電している期間において、太陽光発電装置５の余剰発電量を蓄電装置６に充電する。そのため、本実施形態における電源システム１ｂは、太陽光発電装置５が発電した電力を有効に利用することができる。
【０１５２】
また、本実施形態では、電圧制御部８１ｂは、第２の期間ＴＲ２０における蓄電装置６の放電量と、第２の期間ＴＲ２０における余剰発電量とが等しくなるように、第２の期間ＴＲ２０（例えば、第２の期間ＴＲ２０の時間帯）、及び直流電源装置３の出力電圧（第１の出力電圧）を制御する。
これにより、本実施形態における電源システム１ｂは、第２の期間ＴＲ２０において、蓄電装置６に放電させた放電量分の電力を、余剰発電量により回収することができる。
【０１５３】
また、本実施形態では、電圧制御部８１ｂは、第１の期間の前に、推定される余剰発電量と等しい放電量を蓄電装置６に放電させるように、蓄電装置６の放電を開始させる第２の期間ＴＲ２０の開始時刻を制御する。また、電圧制御部８１ｂは、第１の期間において余剰発電量が蓄電装置６に充電され、放電量が蓄電装置６に充電されるように、第２の期間ＴＲ２０の終了時刻を制御する。すなわち、電圧制御部８１ｂは、第１の期間の前に、推定される余剰発電量と等しい放電量を蓄電装置６に放電させるように、第２の期間ＴＲ２０の開始時刻の選定と制御する。電圧制御部８１ｂは、第１の期間において余剰発電量が蓄電装置６に充電され、放電された電気量相当分が蓄電装置６に回復されるように、第２の期間ＴＲ２０の終了時刻を制御する。
これにより、本実施形態における電源システム１ｂは、第２の期間ＴＲ２０において、蓄電装置６に放電させた放電量分の充電によって太陽光発電装置５の余剰発電量を適切に回収することができる。
【０１５４】
また、本実施形態では、電圧制御部８１ｂは、第２の期間、蓄電装置６が余剰発電量と等しい放電量を放電した場合の放電深度である第１の放電深度に対応する第１電圧値（例えば、設定電圧値（Ｖｒｆ−ｄ１））に、直流電源装置３の出力電圧（第１の出力電圧）を制御する。
これにより、蓄電装置６が余剰発電量と等しい放電量を放電した場合に、蓄電装置６の放電が停止するので、本実施形態における電源システム１ｂは、複雑な制御を必要とせずに、直流電源装置３の出力電圧（第１の出力電圧）の調整という簡易な制御により、蓄電装置６の充放電を適切に制御することができる。また、本実施形態における電源システム１ｂは、直流電源装置３の出力電圧（第１の出力電圧）を制御するという簡易な制御により、蓄電装置６の過放電を防止することができる。
【０１５５】
また、本実施形態では、電圧制御部８１ｂは、蓄電装置６の放電特性に応じて第１電圧値（例えば、設定電圧値（Ｖｒｆ−ｄ１））を補正し、補正した第１電圧値（例えば、設定電圧値（Ｖｒｆ−ｄ１−ｒ））に直流電源装置３の出力電圧（第１の出力電圧）を制御する。
これにより、本実施形態における電源システム１ｂは、蓄電装置６に特性変化が生じた場合であっても、蓄電装置６に必要とされる放電量を放電させることができる。
【０１５６】
また、本実施形態では、電圧制御部８１ｂは、蓄電装置６が余剰発電量と等しい放電量を放電した場合の放電深度である第１の放電深度に対応する第１電圧値（例えば、設定電圧値（Ｖｒｆ−ｄ１））以下の電圧値であって、蓄電装置６が過放電となる放電深度に対応する電圧よりも高い第３電圧値（例えば、設定電圧値（Ｖｒｆ−ｄ２））に第１の出力電圧を制御する。
これにより、本実施形態における電源システム１ｂは、蓄電装置６の過放電を防止することができる。そして、本実施形態における電源システム１ｂは、深夜電力を利用した蓄電装置６の充電と放電による利用ができる。
【０１５７】
次に、本発明に係る第４の実施形態による電源システムについて図面を参照して説明する。
［第４の実施形態］
本実施形態では、第３の実施形態で説明した第２の期間において、蓄電装置６の放電量に応じて、直流電源装置３の出力電圧（第１の出力電圧）を変更する制御を行う場合の一例について説明する。
【０１５８】
本実施形態における電源システムの構成は、図１４に示す第３の実施形態の電源システム１ｂと同様であるので、ここではその説明を省略する。
本実施形態における電源システム１ｂでは、電圧制御部８１ｂによる制御が一部異なり、ここでは、その異なる制御について説明する。
本実施形態における電圧制御部８１ｂは、第２の期間の開始時刻において、蓄電装置６が余剰発電量と等しい放電量を放電した場合の放電深度である第１の放電深度に対応する第１電圧値よりも低い第２電圧値（例えば、直流電源装置３のスタンバイ電圧）に、直流電源装置３の出力電圧を制御する。電圧制御部８１ｂは、蓄電装置６からの放電量が第２の期間ＴＲ２０の終了時刻より前に第１の放電深度に達した場合に、直流電源装置３の出力電圧を上述した第１電圧値（例えば、設定電圧値（Ｖｒｆ−ｄ１））に変更する。ここで、直流電源装置３のスタンバイ電圧とは、例えば、直流電源装置３の動作を停止させた場合の出力電圧である。
なお、蓄電装置６の特性変化により、第１の放電深度と第１電圧値との対応関係がずれるような場合には、電圧制御部８１ｂは、放電量の積算を行い、第１電圧値を第１の放電深度に到達した際の電圧値としてもよい。
【０１５９】
次に、本実施形態における電源システム１ｂの動作について図面を参照して説明する。
図２１は、本実施形態による電源システム１ｂにおける直流電源装置３の出力電圧の制御の一例を示すフローチャートである。
ここでは、所定の期間ごと（例えば、１ヶ月ごと）に、直流電源装置３の出力電圧を設定し直す場合の一例について説明する。
【０１６０】
図２１において、ステップＳ４０１からステップＳ４０５までの処理は、図１７に示すステップＳ３０１からステップＳ３０５までの処理と同様であるので、ここではその説明を省略する。
続く、ステップＳ４０６において、電圧制御部８１ｂは、直流電源装置３の出力電圧をスタンバイ電圧に変更する。具体的には、電圧制御部８１ｂは、直流電源装置３の出力電圧を変更する制御信号を直流電源装置３に出力し、直流電源装置３の出力電圧をスタンバイ電圧に変更する。
【０１６１】
次に、電圧制御部８１ｂは、蓄電装置６の出力電圧が、算出した設定電圧以下か否かを判定する（ステップＳ４０７）。すなわち、電圧制御部８１ｂは、測定器９４によって測定した蓄電装置６の出力電圧が、上述した電圧・期間算出部８３によって算出された設定電圧値（Ｖｒｆ−ｄ１）以下になったか否かを判定する。電圧制御部８１ｂは、蓄電装置６の出力電圧が、設定電圧値（Ｖｒｆ−ｄ１）以下である場合（ステップＳ４０７：ＹＥＳ）に、処理をステップＳ４０８に進め、設定電圧値（Ｖｒｆ−ｄ１）より大きい場合（ステップＳ４０７：ＮＯ）に、処理をステップＳ４０９に進める。
【０１６２】
ステップＳ４０８において、電圧制御部８１ｂは、直流電源装置３の出力電圧を算出した設定電圧値（第１電圧値）に変更する。具体的に、電圧制御部８１ｂは、電圧・期間算出部８３によって設定された設定電圧値（Ｖｒｆ−ｄ１）に、直流電源装置３の出力電圧を変更させる制御信号を直流電源装置３に出力して、直流電源装置３の出力電圧を変更する。
【０１６３】
ステップＳ４０９において、電圧制御部８１ｂは、終了時刻になったか否かを判定する。すなわち、電圧制御部８１ｂは、電圧・期間算出部８３が算出した終了時刻になったか否かを判定する。電圧制御部８１ｂは、終了時刻になった場合（ステップＳ４０９：ＹＥＳ）に、処理をステップＳ４１０に進め、終了時刻になっていない場合（ステップＳ４０９：ＮＯ）に、ステップＳ４０７の処理に戻す。
続く、ステップＳ４１０及びステップＳ４１１の処理は、図１７に示すステップＳ３０８及びステップＳ３０９の処理と同様であるので、ここではその説明を省略する。
【０１６４】
図２２は、本実施形態による電源システム１ｂの動作の一例を示すタイムチャートである。ここでは、日射強度が平均日射強度よりも低く、余剰発電量を生じない場合の動作について説明する。
【０１６５】
図２２において、縦軸は、（ａ）負荷４への供給電流（電流（Ａ））、及び、蓄電装置６の充放電の電気量（Ａｈ）と、（ｂ）蓄電装置６の放電特性（電圧（Ｖ／セル））と、（ｃ）直流電源装置３の出力電圧（Ｖ）とを示している。また、横軸は、１日における時刻を示している。
ここで、波形Ｗ３０は、直流電源装置３の出力電圧の変化を示している。その他は、図１９と同様である。
【０１６６】
図２２において、給電管理装置７ｂは、上述した第２の期間ＴＲ２０の開始時刻ＴＳＴに直流電源装置３の出力電圧をスタンバイ電圧（Ｖｓｔ）に変更する。そして、給電管理装置７ｂは、例えば、波形Ｗ２５のポイントＰ１１に示すように、蓄電装置６の出力電圧が、設定電圧値（Ｖｒｆ−ｄ１）に達した場合に、直流電源装置３の出力電圧を設定電圧値（Ｖｒｆ−ｄ１）に変更する（ポイントＰ１６参照）。その後に動作は、第３の実施形態と同様である。
【０１６７】
以上説明したように、本実施形態における電源システム１ｂでは、電圧制御部８１ｂは、第２の期間の開始時刻において、蓄電装置６が余剰発電量と等しい放電量を放電した場合の放電深度である第１の放電深度に対応する第１電圧値よりも低い第２電圧値（例えば、直流電源装置３のスタンバイ電圧）に、直流電源装置３の出力電圧を制御する。電圧制御部８１ｂは、蓄電装置６が第２の期間ＴＲ２０の終了時刻より前に第１の放電深度に達した場合に、直流電源装置３の出力電圧を上述した第１電圧値（例えば、設定電圧値（Ｖｒｆ−ｄ１））に変更する。すなわち、電圧制御部８１ｂは、蓄電装置６からの放電量の積算値が第２の期間ＴＲ２０の終了時刻より前に第１の放電深度に対応する第１電圧値に達した場合に、直流電源装置３の出力電圧を上述した第１電圧値（例えば、設定電圧値（Ｖｒｆ−ｄ１））に変更する。
これにより、本実施形態における電源システム１ｂは、第３の実施形態と同様に、第２の期間ＴＲ２０において、蓄電装置６に放電させた放電量分の電力を、太陽光発電装置５の余剰発電量により適切に回収することができる。また、本実施形態における電源システム１ｂは、直流電源装置３の出力電圧（第１の出力電圧）を制御するという簡易な制御により、蓄電装置６の過放電を防止することができる。
なお、本実施形態では、第１の放電深度に対応する第１電圧値で判定しているが、電源システム１ｂは、開始時刻ＴＳＴ以降の蓄電装置６からの放電量の積算を行い、積算値が想定されている余剰発電量と等しくなった時点（ポイントＰ１４）で、直流電源装置３の出力電圧（第１の出力電圧）をポイントＰ１１の電圧値（Ｖｒｆ−ｄ１）に変更してもよい（ポイントＰ１６）。
【０１６８】
なお、本発明は、上記の各実施形態に限定されるものではなく、本発明の趣旨を逸脱しない範囲で変更可能である。例えば、上述の第１〜第４の実施形態において説明した各機能は、任意に組み合わせることができる。
【０１６９】
また、上記の各実施形態において、例えば、１ヵ月ごとに直流電源装置３の出力電圧の設定電圧を見直す場合について説明したが、これに限定されるものではない。例えば、季節ごと、１週間ごと、毎日などの所定の期間ごとに見直してもよい。
また、設定電圧を見直す場合に、例えば、図２３に示すように、気象情報を無線通信により取得し、取得した気象情報に基づいて設定電圧を見直してもよい。
【０１７０】
図２３は、第２の実施形態による電源システム１ａの変形例を示すブロック図である。
この図において、電源システム１ｃは、直流電源装置３、太陽光発電装置５、蓄電装置６、給電管理装置７ｃ、測定器９１〜９４、及び日射計９５を備えている。
なお、この図において、図１に示す構成と同一の構成については同一の符号を付し、その説明を省略する。
給電管理装置７ｃは、測定データ取得部７１ａ、入力部７２、表示部７３、記憶部７４、気象情報受信部７５、及び制御部８０ａを備えている。
気象情報受信部７５は、例えば、無線通信により、気象情報送信部７６から気象情報を受信して、受信した気象情報を制御部８０ａに出力する。
【０１７１】
この場合、電圧制御部８１ａは、気象情報（例えば、気象予測データ）を気象情報受信部７５から取得する。電圧制御部８１ａは、予測される気象（例えば、快晴、曇天、雨など）に応じて、規格化された日射強度（予め定められた日射強度）を推定（想定）する。そして、電圧制御部８１ａは、予測される気象に応じて推定された日射強度に基づいて算出された余剰発電量に対応する蓄電装置６の放電深度に対応する設定電圧に、直流電源装置３の出力電圧を制御する。
なお、図２３に示す例では、第２の実施形態に適用する場合を説明したが、他の実施形態においても同様に、気象情報を無線通信により取得し、取得した気象情報に基づいて設定電圧を見直してもよい。
【０１７２】
また、上記の各実施形態では、負荷４の消費電流が一定である場合について説明したが、負荷４の消費電流が一定でない場合も考えられる。負荷４の消費電流が一定でない場合には、測定器９２により負荷４の消費電流を測定し、測定データに基づいて算出した平均電流値を負荷４の消費電流として利用してもよい。
【０１７３】
また、上記の各実施形態において、発電装置の一例として太陽光発電装置５を利用する場合について説明したが、これに限定されるものではなく、他の発電装置を利用してもよい。発電装置は、例えば、風力発電装置、潮力発電装置、水力発電装置などの自然エネルギーを利用する発電装置であってもよい。
また、上記の各実施形態において、最大日射強度に基づいて直流電源装置３の出力電圧の設定電圧が定められる場合について説明したが、余剰発電量が発生する日射強度であれば、他の日射強度に基づいて直流電源装置３の出力電圧の設定電圧が定められてもよい。例えば、平均日射強度に基づいて、直流電源装置３の出力電圧の設定電圧が定められてもよい。
【０１７４】
また、上記の各実施形態において、給電管理装置７（７ａ、７ｂ、７ｃ）が、電圧算出部８２（８２ａ）、又は電圧・期間算出部８３を備える場合について説明したが、電圧算出部８２（８２ａ）、又は電圧・期間算出部８３を備えずに、直流電源装置３の出力電圧の設定電圧又は第２の期間の情報が予め定められていてもよい。この場合、記憶部７４が、予め定められた直流電源装置３の出力電圧の設定電圧又は第２の期間の情報を記憶していてもよい。
【０１７５】
また、上記の第３及び第４の実施形態において、第２の期間ＴＲ２０、直流電源装置３の出力電圧（スタンバイ電圧、設定電圧値（Ｖｒｆ−ｄ１）、設定電圧値（Ｖｒｆ−ｄ２）など）を、太陽光発電装置５の出力電圧より低下させる場合について説明したが、電圧制御部８１ｂは、直流電源装置３の出力を停止させる制御を行ってもよい。
【０１７６】
また、上記の第３及び第４の実施形態において、電源システム１ｂは、第２の期間ＴＲ２０の期間を調整する機能を備えていてもよい。例えば、給電管理装置７ｂは、蓄電装置６の充放電状態を推定し、蓄電装置６が放電状態である場合に、第２の期間ＴＲ２０の開始時刻を遅くしてもよい。また、給電管理装置７ｂは、逆に、蓄電装置６が放電状態にならない場合に、第２の期間ＴＲ２０の開始時刻を早めるように調整してもよい。なお、この場合、給電管理装置７ｂは、蓄電装置６の放電電流と充電電流との計測値（または、直流電源装置３から供給される電流値の計測結果（電流値が、負荷４の消費分と同等か、上回るか、）に基づいて、蓄電装置６の充放電状態を推定してもよい。
また、給電管理装置７ｂは、第２の期間ＴＲ２０の終了時刻を深夜電力料金が適用される時刻に設定してもよい。これにより、電源システム１ｂ（給電管理装置７ｂ）は、蓄電装置６の充電を、他の料金体系よりも低価格な深夜電力料金で行うことができる。
【０１７７】
また、上記の各実施形態において、蓄電装置６は、１２個のリチウムイオン電池のセルを備える組電池である場合について説明したが、これに限定されるものではない。蓄電装置６は、例えば、リチウムイオン電池、鉛蓄電池、ニッケル系蓄電池など電池でもよいし、１２個以外の組電池であってもよい。
また、上記の各実施形態において、余剰発電量は、余剰発電電気量（余剰発電電流量）である場合について説明したが、余剰発電電力量、又は余剰発電電流であってもよい。また、負荷４の消費量は、負荷の消費電流（Ｉｌｏａｄ）である場合について説明したが、負荷４の消費電力であってもよい。
なお、電源システム１（１ａ、１ｂ、１ｃ）は、携帯電話などの基地局に使用される直流電源として利用できる。
【０１７８】
なお、本発明における電源システム１（１ａ、１ｂ、１ｃ）が備える各構成の機能を実現するためのプログラムをコンピュータ読み取り可能な記録媒体に記録して、この記録媒体に記録されたプログラムをコンピュータシステムに読み込ませ、実行することにより上述した電源システム１（１ａ、１ｂ、１ｃ）が備える各構成における処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。
また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。
【０１７９】
また、記録媒体には、当該プログラムを配信するために配信サーバからアクセス可能な内部または外部に設けられた記録媒体も含まれる。なお、プログラムを複数に分割し、それぞれ異なるタイミングでダウンロードした後に節電支援システム１（１ａ、１ｂ）が備える各構成で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【０１８０】
また、上述した機能の一部または全部を、ＬＳＩ（Large Scale Integration）等の集積回路として実現してもよい。上述した各機能は個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【０１８１】
１、１ａ、１ｂ、１ｃ  電源システム
２  商用電力系統
３  直流電源装置
４  負荷
５  太陽光発電装置
６  蓄電装置
７、７ａ、７ｂ、７ｃ  給電管理装置
５１  太陽電池パネル
５２  電力変換部
７１、７１ａ  測定データ取得部
７２  入力部
７３  表示部
７４  記憶部
７５  気象情報受信部
７６  気象情報送信部
８０、８０ａ、８０ｂ  制御部
８１、８１ａ、８１ｂ  電圧制御部
８２  電圧算出部
８３  電圧・期間算出部
９１、９２、９３、９４  測定器
９５  日射計
【図１】
2015043679.tif 000003
【図２】
2015043679.tif 000004
【図３】
2015043679.tif 000005
【図４】
2015043679.tif 000006
【図５】
2015043679.tif 000007
【図６】
2015043679.tif 000008
【図７】
2015043679.tif 000009
【図８】
2015043679.tif 000010
【図９】
2015043679.tif 000011
【図１０】
2015043679.tif 000012
【図１１】
2015043679.tif 000013
【図１２】
2015043679.tif 000014
【図１３】
2015043679.tif 000015
【図１４】
2015043679.tif 000016
【図１５】
2015043679.tif 000017
【図１６】
2015043679.tif 000018
【図１７】
2015043679.tif 000019
【図１８】
2015043679.tif 000020
【図１９】
2015043679.tif 000021
【図２０】
2015043679.tif 000022
【図２１】
2015043679.tif 000023
【図２２】
2015043679.tif 000024
【図２３】
2015043679.tif 000025